(57)【要約】      （修正有）【課題】ＦＰＤカセッテを用いてＸ線撮影を行う移動型Ｘ線撮影装置において、実際の使用環境に適合した使い勝手のよい移動型Ｘ線撮影装置を提供する。【解決手段】移動型Ｘ線撮影装置５０は、ＦＰＤカセッテ１に対してＸ線を照射するＸ線源５７と、ＦＰＤカセッテ１から受信した画像信号Ｄに基づいて少なくともプレビュー画像p_preを生成して表示するコンソール６０と、ＦＰＤカセッテ１を含む外部装置と有線方式で通信するための有線通信手段、および無線方式で通信するための無線通信手段と、少なくともＸ線源５７に電力を供給するための電源部とを備え、さらに、有線通信手段を介して通信を行っている際には無線通信手段を介した通信ができないように制御し、無線通信手段を介して通信を行っている際には有線通信手段を介した通信ができないように制御する制御手段を備える。【選択図】図５
2014204783.tif 000002
【特許請求の範囲】
【請求項１】
照射されたＸ線に応じて電気信号を発生させる変換素子が二次元状に配列され、前記変換素子で発生した電気信号を画像信号として読み出すＦＰＤカセッテに対してＸ線を照射するＸ線源と、
前記ＦＰＤカセッテから受信した前記画像信号に基づいて少なくともプレビュー画像を生成して表示するコンソールと、
前記ＦＰＤカセッテを含む外部装置と有線方式で通信するための有線通信手段、および無線方式で通信するための無線通信手段と、
少なくとも前記Ｘ線源に電力を供給するための電源部と、
を備え、
さらに、前記有線通信手段を介して通信を行っている際には前記無線通信手段を介した通信ができないように制御し、前記無線通信手段を介して通信を行っている際には前記有線通信手段を介した通信ができないように制御する制御手段を備えることを特徴とする移動型Ｘ線撮影装置。
【請求項２】
前記コンソールは、Ｘ線撮影の際には、前記有線通信手段を介して前記ＦＰＤカセッテから前記画像信号を受信することを特徴とする請求項１に記載の移動型Ｘ線撮影装置。
【請求項３】
前記コンソールは、
前記無線通信手段を介して外部装置から撮影オーダー情報を随時取得し、
前記ＦＰＤカセッテから受信した前記画像信号に基づいて診断提供用医用画像を生成し、前記診断提供用医用画像が確定されると当該診断提供用医用画像をそれに対応する前記撮影オーダー情報に対応付け、前記無線通信手段を介して、前記各撮影オーダー情報にそれぞれ対応付けられた前記診断提供用医用画像をまとめて外部装置に送信することを特徴とする請求項１または請求項２に記載の移動型Ｘ線撮影装置。
【請求項４】
前記コンソールは、新たに前記撮影オーダー情報を取得すると、当該撮影オーダー情報を取得したことを告知することを特徴とする請求項１から請求項３のいずれか一項に記載の移動型Ｘ線撮影装置。
【請求項５】
照射されたＸ線に応じて電気信号を発生させる変換素子が二次元状に配列され、前記変換素子で発生した電気信号を画像信号として読み出すＦＰＤカセッテに対してＸ線を照射するＸ線源と、
前記ＦＰＤカセッテから受信した前記画像信号に基づいて少なくともプレビュー画像を生成して表示部に表示するコンソールと、
前記ＦＰＤカセッテを含む外部装置と通信するための通信手段と、
少なくとも前記Ｘ線源に電力を供給するための電源部と、
を備え、
前記コンソールは、Ｘ線撮影を行っていない場合には、前記表示部上に患者の個人情報に関する事柄を表示しないように構成されていることを特徴とする移動型Ｘ線撮影装置。
【請求項６】
前記コンソールは、前記Ｘ線源がＸ線撮影のポジションに移動されると、前記表示部上に何も表示しない状態または前記表示部上に撮影に関係のない表示をする状態から、撮影に関係する事柄を表示する状態に切り替えることを特徴とする請求項５に記載の移動型Ｘ線撮影装置。
【請求項７】
車輪を回転駆動させる駆動部を備え、
前記コンソールは、前記駆動部が駆動されて前記車輪の回転が開始すると、前記表示部に撮影に関係する事柄を表示する状態から、前記表示部上に何も表示しない状態または前記表示部上に撮影に関係のない表示をする状態に切り替えることを特徴とする請求項５または請求項６に記載の移動型Ｘ線撮影装置。
【発明の詳細な説明】
【技術分野】
【０００１】
本発明は、移動型Ｘ線撮影装置に係り、特にＦＰＤカセッテ等を用いてＸ線撮影を行う移動型Ｘ線撮影装置に関する。
【背景技術】
【０００２】
Ｘ線撮影の分野では、従来のスクリーン／フィルムを用いた銀塩写真方式から輝尽性蛍光体シート等を用いたＣＲ（computed radiography）カセッテへの移行によって、アナログによる撮影方法からのデジタル化が図られている。そして、近年、Ｘ線源から照射され被写体を透過したＸ線に応じて電気信号を発生させる変換素子が二次元状に配列されたフラットパネルディテクター（Flat Panel Detector。以下、ＦＰＤという。放射線画像撮影装置等ともいう。）が種々開発されており、病院等の医療現場で医用画像の撮影に用いられるようになっている。
【０００３】
そして、近年、変換素子等が形成されたセンサーパネル等を筐体内に収納し、持ち運び可能とした可搬型のＦＰＤ（以下、ＦＰＤカセッテという。）が開発され、実用化されている（例えば特許文献１参照）。
【０００４】
従来のスクリーン／フィルムやＣＲカセッテを用いた方式では、１枚のカセッテに何回もＸ線を照射するとＸ線画像が重なり合う、いわゆる多重露光の状態になってしまうため、１枚のカセッテでは１回の撮影しか行うことができない。そのため、予定される撮影回数分のカセッテを予め用意することが必要になる。
【０００５】
そして、放射線技師等の操作者は、例えば移動型Ｘ線撮影装置（回診車等ともいう。）を用いて病室等で被写体である患者のＸ線撮影を行う場合、これらのカセッテ群を移動型Ｘ線撮影装置とともに病室等に搬送することが必要になる。しかも、場合によっては、再撮影の必要が生じる場合もあるため、撮影予定枚数より多めのカセッテを用意することが必要となり、操作者にかなりの負担を強いる状態になっていた。
【０００６】
それに対し、ＦＰＤカセッテを用いた撮影の場合、Ｘ線撮影を行うごとに変換素子から画像信号が読み出され、カセッテ内の記憶手段に保存することができるため、ＦＰＤカセッテ１枚で複数回の撮影を連続的に行うことが可能である。そのため、移動型Ｘ線撮影装置とともに持ち運ぶＦＰＤカセッテは、基本的に１枚のみでよい。そのため、放射線技師等の操作者の負担を大幅に軽減することができる。
【０００７】
また、スクリーン／フィルム方式の場合には現像が必要になり、また、ＣＲカセッテの場合には画像読取装置で画像信号を読み出すことが必要になるため、それらの処理を行わないと撮影された画像を見ることができない。それに対し、ＦＰＤカセッテを用いた場合は、変換素子から読み出して記憶手段に保存された画像信号を直ちに画像処理装置に送信して画像処理装置で画像を生成して例えばその表示部に表示する等して撮影された画像を直ちに見て確認することが可能とある。
【０００８】
そのため、放射線技師等の操作者が、撮影された画像を見て再撮影の要否を速やかに判断することができ、結果として早期診断につながるといったメリットもある。
【０００９】
しかし、ＣＲカセッテ等に比べてＦＰＤカセッテは高価なこともあり、ＣＲカセッテが全てＦＰＤカセッテに置き換わる状況にはならず、ＣＲカセッテとＦＰＤカセッテとが混在する状況が当面続くと想定される。そして、この傾向は、移動型Ｘ線撮影装置を用いた回診分野にも広く波及しつつある。そして、このような状況に対応するソリューションが各種提供されている。
【００１０】
例えば、移動型Ｘ線撮影装置として、予めＦＰＤカセッテを使用することを前提に設計された装置が導入される場合もあれば、従来のＣＲカセッテやスクリーン／フィルム方式を用いる移動型Ｘ線撮影装置を、ＦＰＤカセッテをも使用できるように改変されることが想定される。
【００１１】
そして、例えば特許文献２には、ＣＲカセッテ等を用いる既存の移動型Ｘ線撮影装置に、ＦＰＤカセッテと制御用コンピューターを搭載することで、ＦＰＤカセッテを使用可能な移動型Ｘ線撮影装置に改変することが記載されている。
【先行技術文献】
【特許文献】
【００１２】
【特許文献１】特開平６−３４２０９９号公報
【特許文献２】特開２００７−０００５３５号公報
【発明の概要】
【発明が解決しようとする課題】
【００１３】
しかしながら、例えば特許文献２に記載されているように、ＣＲカセッテ等を用いる既存の移動型Ｘ線撮影装置にＦＰＤカセッテと制御用コンピューターを搭載する等してＦＰＤカセッテを使用可能な移動型Ｘ線撮影装置に改変できたとしても、それだけでは、実際に移動型Ｘ線撮影装置を使用する際に、いろいろと不都合な点が生じてしまう。
【００１４】
特に、移動型Ｘ線撮影装置は、撮影環境が整った撮影室ではなく、病室等に持ち込まれて使用されるものであるため、そのような現実的な使用環境に適合するような仕様とされることが強く望まれている。
【００１５】
本発明は、上記の問題点を鑑みてなされたものであり、少なくともＦＰＤカセッテを用いてＸ線撮影を行う移動型Ｘ線撮影装置において、実際の使用環境に適合した使い勝手のよい移動型Ｘ線撮影装置を提供することを目的とする。
【課題を解決するための手段】
【００１６】
前記の問題を解決するために、本発明の移動型Ｘ線撮影装置は、
照射されたＸ線に応じて電気信号を発生させる変換素子が二次元状に配列され、前記変換素子で発生した電気信号を画像信号として読み出すＦＰＤカセッテに対してＸ線を照射するＸ線源と、
前記ＦＰＤカセッテから受信した前記画像信号に基づいて少なくともプレビュー画像を生成して表示するコンソールと、
前記ＦＰＤカセッテを含む外部装置と有線方式で通信するための有線通信手段、および無線方式で通信するための無線通信手段と、
少なくとも前記Ｘ線源に電力を供給するための電源部と、
を備え、
さらに、前記有線通信手段を介して通信を行っている際には前記無線通信手段を介した通信ができないように制御し、前記無線通信手段を介して通信を行っている際には前記有線通信手段を介した通信ができないように制御する制御手段を備えることを特徴とする。
【００１７】
また、本発明の移動型Ｘ線撮影装置は、
照射されたＸ線に応じて電気信号を発生させる変換素子が二次元状に配列され、前記変換素子で発生した電気信号を画像信号として読み出すＦＰＤカセッテに対してＸ線を照射するＸ線源と、
前記ＦＰＤカセッテから受信した前記画像信号に基づいて少なくともプレビュー画像を生成して表示部に表示するコンソールと、
前記ＦＰＤカセッテを含む外部装置と通信するための通信手段と、
少なくとも前記Ｘ線源に電力を供給するための電源部と、
を備え、
前記コンソールは、Ｘ線撮影を行っていない場合には、前記表示部上に患者の個人情報に関する事柄を表示しないように構成されていることを特徴とする。
【発明の効果】
【００１８】
本発明のような方式の移動型Ｘ線撮影装置によれば、例えば、病室等ではコンソールとＦＰＤカセッテと間の通信を有線方式で行うことで、電波状態の影響を受けずに、病室内の他の電子機器等に悪影響を及ぼすことなく通信を行う。また、移動型Ｘ線撮影装置を移動させる途中で撮影オーダー情報を取得するような場合には無線方式で取得する。そのため、いちいちケーブルを有線ＬＡＮのポートに接続することなく撮影オーダー情報を容易に取得できるため、移動型Ｘ線撮影装置が操作者にとって使い勝手がよいものとなる。
【００１９】
このように、有線通信を行う場面と無線通信を行う場面とを的確に分けるように制御することが可能となるため、移動型Ｘ線撮影装置を、撮影環境が整った撮影室ではなく、病室等に持ち込んでＸ線撮影を行う場合でも、移動型Ｘ線撮影装置を現実的な使用環境に的確に適合させてＸ線撮影を行うことが可能となり、放射線技師等の操作者にとって、実際の使用環境に適合した使い勝手のよい装置とすることが可能となる。
【００２０】
また、Ｘ線撮影や撮影オーダー情報の取得以外の場合に、コンソールの表示部上に患者の個人情報に関する事柄を表示しないため、Ｘ線撮影に必要な撮影オーダー情報やプレビュー画像等の患者のプライバシーに関する個人情報が、放射線技師等の操作者以外の目に触れることが極力避けられた状態でＸ線撮影を行うことが可能となり、この点においても移動型Ｘ線撮影装置を現実的な使用環境に的確に適合させることが可能となり、実際の使用環境に適合した使い勝手のよい装置とすることが可能となる。
【図面の簡単な説明】
【００２１】
【図１】ＦＰＤカセッテの外観を示す斜視図である。
【図２】ＦＰＤの等価回路を表すブロック図である。
【図３】各ＴＦＴを介して各変換素子からリークした各電荷がリークデータとして読み出されることを説明する図である。
【図４】読み出されるリークデータの時間的推移の例を表すグラフである。
【図５】移動型Ｘ線撮影装置の外観を示す斜視図である。
【図６】移動型Ｘ線撮影装置の各部の接続関係を示すブロック図である。
【図７】カセッテ保持部の内部に設けられた充電部が装填されたＦＰＤカセッテ内のカセッテ充電部と対向する状態になることを説明する模式図である。
【図８】撮影オーダー情報の例を示す図である。
【図９】コンソールの表示部に表示されたプレビュー画像等を表す図である。
【図１０】放射線技師等の操作者が携帯する携帯端末等を表す図である。
【図１１】開放された状態のカセッテ保持部にＦＰＤカセッテが装填された状態を上側から見た場合の概略図である。
【発明を実施するための形態】
【００２２】
以下、本発明に係る移動型Ｘ線撮影装置の実施の形態について、図面を参照して説明する。
【００２３】
［ＦＰＤカセッテについて］
ここで、本発明に係る移動型Ｘ線撮影装置について説明する前に、移動型Ｘ線撮影装置で用いられるＦＰＤカセッテ１について説明する。図１は、ＦＰＤカセッテの外観を示す斜視図である。
【００２４】
本実施形態では、ＦＰＤカセッテ１は、図示しないセンサーパネルがカーボン板等で形成された筐体２内に収納されて構成されている。そして、筐体２の一方の側面には、電源スイッチ２５や切替スイッチ２６、コネクター２７、インジケーター２８等が配置されている。また、図示を省略するが、本実施形態では、筐体２の例えば反対側の側面等に、外部と無線通信を行うためのアンテナ装置２９（後述する図２参照）が設けられている。
【００２５】
なお、ＦＰＤカセッテ１は、外部と無線方式で通信を行う場合にはアンテナ装置２９を用い、また、外部と有線方式で通信を行う場合には、コネクター２７に図示しないケーブルを接続させて通信するようになっている。
【００２６】
また、本実施形態では、ＦＰＤカセッテ１として、市販の最小サイズの１０×１２インチと、市販の最大サイズの１７×１７インチの２種類のＦＰＤカセッテ１を用いる場合について説明するが、ＦＰＤカセッテ１はこのサイズに限定されず、適宜のサイズのＦＰＤカセッテ１を用いることが可能である。
【００２７】
図２は、ＦＰＤカセッテの等価回路を表すブロック図である。図２に示すように、ＦＰＤカセッテ１には、図示しないセンサー基板上に複数の変換素子７が二次元状（マトリクス状）に配列されている。各変換素子７は、後述するＸ線源５７（図５参照）から照射され図示しない被写体を透過したＸ線に応じて電気信号を発生させるようになっている。
【００２８】
各変換素子７には、バイアス線９が接続されており、バイアス線９は結線１０を介してバイアス電源１４に接続されている。そして、バイアス電源１４からバイアス線９等を介して各変換素子７に逆バイアス電圧が印加されるようになっている。各変換素子７には、スイッチ素子として薄膜トランジスター（Thin Film Transistor。以下、ＴＦＴという。）８が接続されており、ＴＦＴ８は信号線６に接続されている。
【００２９】
走査駆動手段１５では、配線１５ｃを介して電源回路１５ａからゲートドライバー１５ｂにオン電圧とオフ電圧が供給されるようになっており、ゲートドライバー１５ｂで走査線５の各ラインＬ１〜Ｌｘに印加する電圧をオン電圧とオフ電圧との間でそれぞれ切り替えるようになっている。
【００３０】
そして、各ＴＦＴ８は、走査線５を介してオン電圧が印加されるとオン状態になって、変換素子７と信号線６とが導通する状態になり変換素子７内の電気信号が読み出される。また、各ＴＦＴ８は、走査線５を介してオフ電圧が印加されるとオフ状態になって、変換素子７と信号線６との導通を遮断するようになっている。
【００３１】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。
【００３２】
そして、制御手段２２には、ＳＲＡＭ（Static ＲＡＭ）やＳＤＲＡＭ（Synchronous ＤＲＡＭ）等で構成される記憶手段２３が接続されており、また、外部と無線通信するためのアンテナ装置２９が接続されている。さらに、制御手段２２には、走査駆動手段１５や読み出し回路１７、記憶手段２３、バイアス電源１４等の各機能部に必要な電力を供給するバッテリー２４が接続されている。
【００３３】
制御手段２２は、後述するＸ線源５２から図示しない被写体を介してＸ線が照射された後に行われる画像信号Ｄの読み出し処理の際には、ゲートドライバー１５ｂからいずれか一本の走査線５にオン電圧を順次印加させ、当該走査線５に接続されている各ＴＦＴ８をオン状態にする。
【００３４】
そして、各ＴＦＴ８がオン状態になると、各変換素子７と各信号線６とが導通し、各変換素子の電気信号が読み出しＩＣ１６内に設けられた各読み出し回路１７で読み出される。具体的には、変換素子７から読み出し回路１７の増幅回路１８に流れ込んだ電荷の量に応じて増幅回路１７から電圧値が出力される。
【００３５】
相関二重サンプリング回路（図２では「ＣＤＳ」と記載されている。）１９は、各変換素子７から電荷が流れ込む前後に増幅回路１８から出力された電圧値の差分をアナログ値の画像信号Ｄとして下流側に出力する。そして、出力された各画像信号Ｄをアナログマルチプレクサー２１を介してＡ／Ｄ変換器２０に順次送信し、Ａ／Ｄ変換器２０でデジタル値の画像信号Ｄに順次変換して記憶手段２３に出力して順次保存するようになっている。
【００３６】
ＦＰＤカセッテ１の制御手段２２は、Ｘ線撮影が行われて上記のようにして各変換素子７から画像信号Ｄがそれぞれ読み出されると、１フレーム分の各画像信号Ｄの中から所定の割合で画像信号Ｄを抽出し、それらをプレビュー画像用信号として後述する移動型Ｘ線撮影装置５０のコンソール６０（後述する図５参照）に送信する。
【００３７】
また、ＦＰＤカセッテ１の制御手段２２は、上記のようにしてプレビュー画像用信号を送信すると、それ以外の他の画像信号Ｄ等、或いはプレビュー画像用信号を含む全ての画像信号等をコンソール６０に送信するようになっている。
【００３８】
［ＦＰＤカセッテ自体でＸ線の照射開始を検出する場合の構成等について］
一方、ＦＰＤカセッテ１は、後述する移動型Ｘ線撮影装置５０の本体部５５（後述する図５参照）側から信号を受信する等してＸ線の照射が開始されたことを認識するのではなく、ＦＰＤ自体でＸ線源５７からのＸ線の照射が開始されたことを検出するように構成される場合がある。
【００３９】
このようにＦＰＤカセッテ１自体でＸ線の照射開始を検出するための構成としては、例えば、ＦＰＤカセッテ１に図示しないＸ線センサー等のセンサー類を設け、センサー類が検知した信号に基づいてＸ線の照射開始を検出するように構成することが可能である。
【００４０】
また、ＦＰＤカセッテ１にＸ線が照射されると、前述したバイアス線９やその結線１０中を流れる電流が増加することを利用して、バイアス線９や結線１０に電流検出手段を設け、電流検出手段が検出する電流の量が例えば閾値以上になった時点でＸ線の照射開始を検出するように構成することも可能である（例えば特開２００９−２１９５３８号公報等参照）。
【００４１】
さらに、ＦＰＤカセッテ１で、Ｘ線の照射開始前からリークデータｄleakを読み出したり画像データｄを読み出したりするように構成し、読み出したリークデータｄleakや画像データｄが閾値以上になった時点でＸ線の照射開始を検出するように構成することも可能である（例えば国際公開第２０１１／１３５９１７号パンフレット、国際公開第２０１１／１５２０９３号パンフレット等参照）
【００４２】
これらの方式は、患者のベットサイドでの撮影が多様なポジショニング（従い、多様なコリメータ（照射野）設定）をとることが想定される撮影環境下では、コリメータ設定の影響を受け難く、好ましい。
【００４３】
ここで、読み出したリークデータｄleakに基づいてＸ線の照射開始を検出する場合について簡単に説明する。詳しくは国際公開第２０１１／１３５９１７号パンフレット等を参照されたい。
【００４４】
ＦＰＤカセッテ１にＸ線が照射される前から、ゲートドライバー１５ｂ（図２参照）から各走査線５にオフ電圧を印加した状態で各読み出し回路１７で読み出し動作を行わせる。ゲートドライバー１５ｂから各走査線５にオフ電圧を印加して各ＴＦＴ８をオフ状態とした状態では、図３に示すように、オフ状態になっている各ＴＦＴ８を介して各変換素子７からリークする電荷ｑが読み出し回路１７の増幅回路１８に流れ込む。
【００４５】
増幅回路１８には、信号線６に接続されている各ＴＦＴ８を介して各変換素子７からリークした電荷ｑがそれぞれ流れ込むため、この状態で読み出し回路１７に読み出し動作を行わせると、各ＴＦＴ８を介してリークした電荷ｑの合計値に相当するデータが読み出される。このようにして読み出されたデータがリークデータｄleakである。
【００４６】
そして、このように構成した場合、ＦＰＤカセッテ１にＸ線の照射が開始されると、上記では説明を省略した図示しないシンチレーターでＸ線から変換された電磁波（光）がオフ状態の各ＴＦＴ８に照射される。すると、各ＴＦＴ８を介して各変換素子７内から信号線６にリークする電荷ｑの電荷量が増加する。
【００４７】
そのため、ＦＰＤカセッテ１に放射線の照射が開始された時点で（例えば図４の時刻ｔ１参照）、読み出されるリークデータｄleakの値が急激に増加する。そこで、このリークデータｄleakの値が増加することを利用して、例えば図４に示すように、読み出されたリークデータｄleakが設定された閾値ｄleak_th以上になったことを検出することで、ＦＰＤカセッテ１自体で放射線の照射開始を検出するように構成することが可能である。
【００４８】
なお、読み出したリークデータｄleakそのものを用いる代わりに、リークデータｄleakから算出される種々の値に基づいてＸ線の照射開始を検出するように構成することも可能であり、そのような改良は適宜行われる。また、ＦＰＤカセッテ１自体でＸ線の照射開始を検出するように構成する場合、検出方法は上記の各方法に限定されない。
【００４９】
［Ｘ線源の本体部と同期をとりながらＸ線撮影を行う場合の構成等について］
一方、ＦＰＤカセッテ１は、後述する移動型Ｘ線撮影装置５０の本体部５５（後述する図５参照）と信号のやり取りを行い、本体部５５側と同期をとりながらＸ線撮影を行うように構成されている場合もある。
【００５０】
この場合、まず、ＦＰＤカセッテ１で、各変換素子７内に残存する電荷を除去するリセット処理等のＸ線撮影に向けた準備処理を行う。そして、放射線技師等の操作者が曝射スイッチ６２を操作してＸ線源５７からＸ線を照射する旨の指示を入力すると、本体部５５（正確には本体部５５内の制御部５５ａ（後述する図６参照））は、ＦＰＤカセッテ１に無線方式や有線方式で照射信号を送信する。
【００５１】
ＦＰＤカセッテ１は、移動型Ｘ線撮影装置５０の本体部５５から照射信号を受信すると、準備処理を終了して、走査駆動手段１５（図２参照）から各走査線５にオフ電圧を印加させる。そして、このようにして各ＴＦＴ８をオフ状態として、各変換素子７内に電荷を蓄積させることができる状態にすると、移動型Ｘ線撮影装置５０の本体部５５にインターロック解除信号を送信する。
【００５２】
移動型Ｘ線撮影装置５０の本体部５５は、ＦＰＤカセッテ１からインターロック解除信号を受信した時点で初めてＸ線源５７（後述する図５参照）からＦＰＤカセッテ１にＸ線を照射させる。
【００５３】
ＦＰＤカセッテ１が移動型Ｘ線撮影装置５０の本体部５５と同期をとりながらＸ線撮影を行うように構成される場合には、例えば上記のように構成される。なお、例えば、ＦＰＤカセッテ１が、上記のように自らＸ線の照射開始を検出するモードと、移動型Ｘ線撮影装置５０の本体部５５と同期をとりながらＸ線撮影を行うモードとの間で、モードを切り替えることができるように構成することも可能である。例えば、低照射線量の撮影を行う場合においては同期モードとし、照射開始の判断に必要とされる照射線量分を診断用の画像情報に変換して画質を優先することが可能である。
【００５４】
［ＦＰＤカセッテの電力供給モードについて］
また、ＦＰＤカセッテ１は、例えば電源スイッチ２５（図１参照）をオンされると、内蔵バッテリー２４から制御手段２２や走査駆動手段１５、読み出しＩＣ１６等（図１参照）の各機能部に電力供給して、Ｘ線撮影に使用できる状態にするようになっている。以下、このようなＦＰＤカセッテ１の電力供給モードを覚醒（wake up）モードという。
【００５５】
しかし、電源スイッチ２５をオンされても、すぐにはＦＰＤカセッテ１がＸ線撮影に使用されない場合がある。本実施形態では、ＦＰＤカセッテ１は、そのような場合には、電源オンの状態のままで、電力供給モードをスリープ（sleep）モードに遷移させるようになっている。
【００５６】
すなわち、ＦＰＤカセッテ１は、電源スイッチ２５がオンされてから所定時間が経過しても当該ＦＰＤカセッテ１を用いたＸ線が行われない場合には、自動的に電力供給モードをスリープモードに遷移させる。
【００５７】
本実施形態では、ＦＰＤカセッテ１は、スリープモードでは、アンテナ装置２９（図２参照）等の、外部からの覚醒信号等を受信するために必要な最低限の機能部にのみバッテリー２４から電力を供給し、他の機能部には電力を供給しないようになっている。なお、ＦＰＤカセッテ１はスリープモードではＸ線撮影に用いることができない。
【００５８】
しかし、ＦＰＤカセッテ１は、切替スイッチ２６（図１参照）を操作されたり、或いは後述するコンソール６０から覚醒信号が送信されてきたりすると、電力供給モードをスリープモードから覚醒モードに遷移させるようになっている。そして、本実施形態では、ＦＰＤカセッテ１は、電力供給モードを覚醒モードに遷移させると、前述した変換素子７のリセット処理等を開始するなど所定の撮影準備動作を行うようになっている。
【００５９】
［ＣＲカセッテについて］
一方、ＣＲカセッテ４０（後述する図５参照）についてはよく知られているため、構成等の説明を省略するが、例えば、図示しない輝尽性蛍光体シートを内蔵するカセッテとして構成され、撮影後、図示しない画像読取装置に装填して、輝尽性蛍光体シートから画像信号Ｄが読み出されるような公知のＣＲカセッテを用いることが可能である。
【００６０】
なお、本実施形態および下記の第２の実施形態においては、ＣＲカセッテ４０はＪＩＳ規格（ＪＩＳ  Ｚ  ４９０５）、或いは、対応する国際規格であるＩＥＣ６０４０６に準拠した外形サイズを有しており、ＦＰＤカセッテ１も同様である。
【００６１】
［移動型Ｘ線撮影装置について］
次に、本発明に係る移動型Ｘ線撮影装置について説明する。
【００６２】
前述したように、移動型Ｘ線撮影装置としては、主に、予めＦＰＤカセッテを使用することを前提に設計された移動型Ｘ線撮影装置と、従来のＣＲカセッテやスクリーン／フィルム方式を用いる移動型Ｘ線撮影装置をＦＰＤカセッテも使用できるように改変された移動型Ｘ線撮影装置とが想定されるが、下記の第１の実施形態では前者について、また、第２の実施形態では後者について説明する。
【００６３】
［第１の実施の形態］
［移動型Ｘ線撮影装置の構成等について］
以下、本発明の第１の実施形態に係る移動型Ｘ線撮影装置５０の構成等について説明する。図５は、本実施形態に係る移動型Ｘ線撮影装置の外観を示す斜視図であり、図６は、本実施形態に係る移動型Ｘ線撮影装置の各部の接続関係を示すブロック図である。
【００６４】
なお、以下では、移動型Ｘ線撮影装置５０の支柱５６が設けられた側を移動型Ｘ線撮影装置５０の前側、ハンドルバー６１が設けられた側を移動型Ｘ線撮影装置５０の後ろ側として説明する。
【００６５】
本実施形態では、図５に示すように、カバー５１で覆われた移動型Ｘ線撮影装置５０の基台５２の前方には前輪５３が、基台５２の後方には後輪５４がそれぞれ２輪ずつ設けられている。すなわち４輪構造とされている。例えば、前輪５３を１輪構造（後輪５４と合わせて３輪構造）とすることも可能であるが、安定性の点から４輪構造であることが好ましい。
【００６６】
また、本実施形態では、病室等に至るまでの例えば廊下等では、移動型Ｘ線撮影装置５０を直進性が優れるように移動させ、一方、病室のベッドサイド等では移動型Ｘ線撮影装置５０の細かな位置調整等ができるようにするために、後輪駆動とされている。そして、カバー５１で覆われた本体部５５内に、図６に示すように、後輪５４を回転駆動させるためのモーター等の駆動部５５ｂが内蔵されている。
【００６７】
図６に示すように、本体部５５内には、移動型Ｘ線撮影装置５０の各部の動作等を制御する制御部５５ａや、上記の駆動部５５ｂ、外部との通信Ｉ／Ｆ等の機能を有する通信部５５ｃ、電源部５５ｄ等が内蔵されている。そして、制御部５５ａを介して電源部５５ｄから本体部５５内の駆動部５５ｂや通信部５５ｃのほか、後述するＸ線源５７の管球等の各部に必要に応じて電力が供給されるようになっている。
【００６８】
また、後述するようにカセッテ保持部６３に装填されたＦＰＤカセッテ１を充電するように構成する場合には、電源部５５ｄから、ＦＰＤカセッテ１を充電するための充電部６３ａ（後述する図７参照）にも電力が供給される。なお、移動型Ｘ線撮影装置５０の側面のカバー５１等には、この電源部５５ｄを壁コン（例えば１００Ｖの商用電源コンセント）と接続して充電するための充電用コネクター部Ｃ（図６参照）が設けられている。
【００６９】
移動型Ｘ線撮影装置５０の基台５２の前側には、支柱５６が略垂直方向に立設されており、支柱５６にはＸ線を照射可能なＸ線源５７が昇降自在に取り付けられている。また、Ｘ線源５７は、支柱５６を中心として回動させることができるようになっている。そして、Ｘ線を照射する際には、Ｘ線源５７を図５の状態から例えば図中の矢印方向に回動させ、その状態でＸ線源５７に内蔵されている図示しないＸ線管球からＸ線を照射するようになっている。
【００７０】
すなわち、図５では、移動型Ｘ線撮影装置５０を移動する際にＸ線源５７が格納されている状態が示されており、この状態ではＸ線源５７からはＸ線は照射できないようになっている（いわゆるインターロック状態）。そして、Ｘ線源５７をこの状態から支柱５６を中心に回動させた状態で初めてＸ線源５７からＸ線を照射することができるようになっている。
【００７１】
また、Ｘ線源５７の下側には、Ｘ線源５７から図示しない被写体を介してＦＰＤカセッテ１やＣＲカセッテ４０にＸ線を照射する際に、照射されるＸ線の照射野を絞るための照射野絞り部（コリメータ部ともいう。）５８が取り付けられている。
【００７２】
一方、移動型Ｘ線撮影装置５０のカバー５１の上面部には、後述する撮影オーダー情報や画像等を表示する表示部６０ａを備えるコンソール６０が配置されている。なお、本実施形態では、コンソール６０は、移動型Ｘ線撮影装置５０の操作部の機能をも備えている。コンソール（操作部）６０での処理については後でまとめて説明する。
【００７３】
また、移動型Ｘ線撮影装置５０の後ろ上部には、放射線技師等の操作者が移動型Ｘ線撮影装置５０を動かす際などに握るハンドルバー６１が設けられており、また、移動型Ｘ線撮影装置５０の後方の側方には、本体部５５内の制御部５５ａ（図６参照）に、Ｘ線源５７からＸ線を照射させることを指示するための有線接続タイプの曝射スイッチ６２が着脱可能に取り付けられている。なお、無線接続タイプの曝射スイッチを採用しても良い。
【００７４】
本実施形態では、移動型Ｘ線撮影装置５０の最後方の位置には、ＦＰＤカセッテ１やＣＲカセッテ４０を装填可能なカセッテ保持部６３が設けられており、ＦＰＤカセッテ１については、前述した例えば１０×１２インチと１７×１７インチの２種類のＦＰＤカセッテ１を装填して保管することができるように２個のカセッテ装填用スロットが設けられている。さらに、グリッドや、カセッテハウジングの強度アップや操作性改善のためのアダプター（取っ手付き）や、グリッド保持も兼ねるアダプター等を装填するスロットを追加しても良い。
【００７５】
その際、カセッテ保持部６３における１０×１２インチのＦＰＤカセッテ１用のカセッテ装填用スロットと１７×１７インチのＦＰＤカセッテ１用のカセッテ装填用スロットの深さを同じ深さにすると、１０×１２インチのＦＰＤカセッテ１が取り出しにくくなる等の問題がある。そのため、本実施形態のカセッテ保持部６３では、両方のＦＰＤカセッテ１が装填された場合にそれらの上端の位置が同じような高さになるように、各カセッテ装填用スロットの深さが適宜調整されている。
【００７６】
また、本実施形態では、図７に示すように、カセッテ保持部６３の内部に充電部６３ａが設けられている。そして、充電部６３ａは、１０×１２インチと１７×１７インチの各ＦＰＤカセッテ１がカセッテ保持部６３内に装填されると、各ＦＰＤカセッテ１内に設けられたカセッテ充電部１ａと対向する状態になり、この状態で、カセッテ保持部６３の充電部６３ａからＦＰＤカセッテ１のカセッテ充電部１ａに電力が供給されて、ＦＰＤカセッテ１のバッテリー２４（図２参照）を充電することができるようになっている。
【００７７】
なお、ＦＰＤカセッテ１のバッテリー２４を的確に充電することが可能であれば、上記の際の充電方式として種々の充電方式を採用することが可能である。また、非接触充電方式であれば、カセッテ保持部６３の充電部６３ａとＦＰＤカセッテ１のカセッテ充電部１ａとが接触しなくても充電することが可能となり、好ましい。
【００７８】
また、図７に示したように、カセッテ保持部６３の充電部６３ａを、各ＦＰＤカセッテ１のカセッテ装填用スロットの底面ではなく側面部に設けることで、充電部６３ａに外部からの異物が堆積する等の問題が生じることがなくなり、好ましい。
【００７９】
一方、上記の方式では、各カセッテ装填用スロットに装填されるべきカセッテサイズが限定されることになる問題もある。また，ＦＰＤカセッテの角部（コーナー部）から充電用接続部までの寸法が、各サイズで異なることになり、これらのＦＰＤカセッテを撮影室で使用する際にクレードルに装填して充電する際には、カセッテの充電口を合わせて装填する操作が困難になり好ましくない。或いは、特開２００９−２３７２９３号公報に記載されたような特殊な電極構造が必要となり構造が複雑化するとともに、異物進入による短絡等の信頼性も懸念される。
【００８０】
各サイズともに角部（コーナー部）から充電用接続部までの寸法は一定とし、当該充電用接続部が設けられた辺を下方にして、各カセッテ装填用スロットに挿入し、移動型Ｘ線撮影装置５０の充電接続部は各カセッテ装填用スロットともに同一位置に設け、サイズフリーの装填が可能となる。小サイズのハンドリング性（取り出し易さ）対応としては、最も前側に設けたカセッテ装填用スロットはカセッテ装填用ガイド部分の一部を切欠き、技師等の操作者の手が入る空間を確保し、小サイズは当該スロットに装填することで前述する課題は解決できる。
【００８１】
或いは、小サイズについては、国際公開第２０１３／０３９５６９号パンフレットに記載されているように、アダプターを介した装填方式（充電方式）とすることで、取り出し操作性の問題は解決される。また、塵進入に対しては、ヒンジ開閉可能なシャッター等を付設すれば良い。
【００８２】
さらに、図５に示したように、カセッテ保持部６３には、特殊撮影用や、ＦＰＤカセッテ１のバックアップ用として、スクリーン／フィルムカセッテやＣＲカセッテ４０も同時に装填することができるように構成することが好ましい。
【００８３】
一方、図６に示すように、移動型Ｘ線撮影装置５０は、本体部５５の制御部５５ａやコンソール６０等と、ＦＰＤカセッテ１を含む外部装置との間で、無線方式で通信を行うための無線通信手段であるアクセスポイント６４や、有線方式で通信を行うための有線通信手段であるＬＡＮケーブル等の接続ポート６５を側面部に備えている。
【００８４】
有線のポート数は、院内ＬＡＮ用、ＦＰＤカセッテ用、後述する外部ディスプレイ用の３ポートが望ましいが、２ポート設けておくことが経済的で、最も有効である。
【００８５】
また、移動型Ｘ線撮影装置５０には、アクセスポイント６４やＬＡＮ等の接続ポート６５を介して本体部５５の制御部５５ａやコンソール６０（移動型Ｘ線撮影装置５０の操作部として機能する場合を含む。以下同じ。）等と院内ネットワークに接続されたＲＩＳ、ＨＩＳ、ＰＡＣＳ等の外部装置との間で行われる通信を中継するための中継器６６が設けられている。
【００８６】
そして、本実施形態では、中継器６６はＣＰＵ等で構成された制御手段６７を備えている。そして、制御手段６７は、移動型Ｘ線撮影装置５０の制御部５５ａやコンソール６０が有線通信手段である接続ポート６５を介して通信を行っている際には無線通信手段であるアクセスポイント６４を介した通信ができないように制御する。また、制御手段６７は、アクセスポイント６４を介して通信を行っている際には接続ポート６５を介した通信ができないように制御するようになっている。
【００８７】
具体的には、本実施形態では、制御手段６７は、アクセスポイント６４を介した無線通信を基本とするため、例えば接続ポート６５にＬＡＮ接続されても直ちに有線通信に切り替えることはない。そして、例えば接続ポート６５にＬＡＮ接続され、コンソール６０等から有線方式で通信を行う旨の指示等があった場合にのみ接続ポート６５を介した通信を可能とし、以後のアクセスポイント６４を介した通信を行うことができないように制御するようになっている。
【００８８】
なお、移動型Ｘ線撮影装置５０の前方部分等に、収納スペース部６８（図５参照）を設け、収納スペース部６８に、例えば、使い捨てのカセッテ袋（カセッテ内に患者体液等が入り込むことを防止するためにＦＰＤカセッテ１に被せられて用いられ、患者ごとに取り換えられて破棄される。）や、消毒液ボトル、使い捨て手袋、紙に印刷したオーダーシート、撮影方向を表す「Ｌ」や「Ｒ」、「ＡＰ」、「ＰＡ」等の鉛マーカー等の小型の撮影補助具を保管するように構成してもよい。
【００８９】
また、グリッド（特に１７×１７インチサイズ対応品）は大型であり、重量も比較的大きいため、上記の収納スペース部６８に収納するのではなく、移動型Ｘ線撮影装置５０の側面のカバー５１部分等にグリッド保持部（必要に応じてカセッテ固定用のアダプターを含む。）を設けるように構成することも可能である。
【００９０】
［コンソールでの処理について］
以下、移動型Ｘ線撮影装置５０上に設けられたコンソール６０での処理について説明する。なお、前述したように、コンソール６０が移動型Ｘ線撮影装置５０の操作部として機能する場合も「コンソール６０が…」という形で説明する。
【００９１】
コンソール６０では、Ｘ線撮影に関する患者情報や撮影条件等が指定された撮影オーダー情報を取得するようになっている。撮影オーダー情報の取得の仕方等の詳細については後で説明するとして、ここでは、その概要について説明する。
【００９２】
本実施形態では、コンソール６０は、後述するように、外部装置の１つであるＲＩＳ（Radiology Information System；放射線科情報システム）から撮影オーダー情報を取得するようになっている。
【００９３】
撮影オーダー情報は、例えば図８に例示するように、患者情報としての「患者ＩＤ」Ｐ２や「患者氏名」Ｐ３、「性別」Ｐ４、「年齢」Ｐ５、「診療科」Ｐ６や、撮影条件としての「撮影部位」Ｐ７や「撮影方向」Ｐ８等を指定して設定されるようになっている。そして、撮影オーダーが登録された順に、各撮影オーダー情報に対して「撮影オーダーＩＤ」Ｐ１が自動的に割り当てられるようになっている。
【００９４】
そして、コンソール６０上でこれから行うＸ線撮影に関する撮影オーダー情報を選択すると、コンソール６０から移動型Ｘ線撮影装置５０の本体部５５の制御部５５ａに、選択された撮影オーダー情報に指定された撮影条件等の情報が送信される。そして、移動型Ｘ線撮影装置５０の制御部５５ａはその撮影条件等の情報に基づいて管電流や管電圧、照射時間等を自動設定するようになっている。
【００９５】
なお、コンソール６０上で管電流等を設定したり、移動型Ｘ線撮影装置５０の制御部５５ａが自動設定した管電流等を微調整したりすることができるように構成することも可能である。すなわち、コンソール６０が、移動型Ｘ線撮影装置５０のいわゆるジェネレータ制御機能を有し、ＦＰＤカセッテ１の制御機能とジェネレータ制御機能の両方を有するように構成されることも可能である。
【００９６】
また、この場合、後述するように、ＦＰＤ制御用ＧＵＩとジェネレータ制御用ＧＵＩとが撮影ワークフローに従って自動的にウインドウ表示されたり、或いは、技師等の操作者の指示に応じてマニュアルでウインドウ表示したりすることができる。
【００９７】
一方、前述したように、Ｘ線撮影後、ＦＰＤカセッテ１からプレビュー画像用信号が送信されてくると、コンソール６０は、そのプレビュー画像用信号等に基づいてプレビュー画像を生成し、図９に示すように、表示部６０ａ（図５等参照）上に、生成したプレビュー画像p_preを表示するようになっている。
【００９８】
その際、例えばプレビュー画像p_preの近傍にＯＫボタンアイコン６０ｂやＮＧボタンアイコン６０ｃを表示するように構成する。そして、被写体が画像中の的確な位置に撮影されていない等して放射線技師等の操作者がＮＧボタンアイコン６０ｃをクリックした場合には、再撮影が行われることになる。
【００９９】
また、ＦＰＤカセッテ１から画像信号が送信されてくると、コンソール６０は、それらに基づいてオフセット補正やゲイン補正、欠陥画素補正、撮影部位に応じた階調処理等の画像処理を行って診断提供用医用画像を生成するようになっている。コンソール６０は、この場合も、診断提供用医用画像を生成すると、生成した診断提供用医用画像を、例えば図９に示したプレビュー画像p_pre上に上書きして表示する。
【０１００】
そして、表示された診断提供用医用画像を見た放射線技師等の操作者が、「ＯＮ」ボタンをクリックして承認すると、診断提供用医用画像がそれに対応する撮影オーダー情報に対応付けられて確定されるようになっている。また、移動型Ｘ線撮影装置５０が照射線量測定機能を有している場合には、撮影オーダー情報に画像と当該線量データとが対応付けられる。
【０１０１】
コンソール６０は、このようにして診断提供用医用画像が確定されると、それを撮影オーダー情報とともに、外部装置の１つであるＰＡＣＳ（Picture Archiving and Communication System）に送信するようになっている。そして、医師からの要求に応じて診断提供用医用画像がＰＡＣＳから各コンピューター等に送られる等して、医師による診断の用に供せられるようになっている。
【０１０２】
［実際の使用環境に適した移動型Ｘ線撮影装置の構成等について］
次に、上記のように構成された移動型Ｘ線撮影装置５０を実際に病院等の施設内でＸ線撮影に使用するに際して、実際の使用環境に適した移動型Ｘ線撮影装置の構成等について説明する。また、本実施形態に係る移動型Ｘ線撮影装置５０の作用についてもあわせて説明する。
【０１０３】
移動型Ｘ線撮影装置５０を、病院等の施設内で使用する場合、例えば、以下のような観点を考慮する必要がある。
【０１０４】
［観点１］移動型Ｘ線撮影装置５０に搭載されたコンソール６０が外部装置と信号等の送受信を行う場合に、無線方式で行うか、有線方式で行うか。
【０１０５】
例えば、移動型Ｘ線撮影装置５０を病室等に持ち込んでＸ線撮影を行う場合、ＦＰＤカセッテ１からコンソール６０に画像信号Ｄを送信したり、コンソール６０とＦＰＤカセッテ１との間で信号等の送受信が行われるが、その際、病室内の電波状況が悪い場合がある。また、ＦＰＤカセッテ１とコンソール６０間で無線方式で通信を行うと、病室内の他の電子機器（例えば、患者のペースメーカ）等に悪影響を及ぼしてしまう虞れがある。
【０１０６】
そのため、このように病室等に移動型Ｘ線撮影装置５０を持ち込んでＦＰＤカセッテ１を使ってＸ線撮影を行うような場合は、ＦＰＤカセッテ１と移動型撮影装置５０とをケーブル等で接続し、ＦＰＤカセッテ１とコンソール６０との間で信号やデータ等を有線方式で通信する方がよい。
【０１０７】
また、移動型Ｘ線撮影装置５０に搭載されたコンソール６０は、上記のように、病院等の施設内に配設された無線ＬＡＮ（Local Area Network）や有線ＬＡＮに接続されているＲＩＳから撮影オーダー情報を取得したり、或いは、Ｘ線撮影後、無線ＬＡＮや有線ＬＡＮに接続されているＰＡＣＳに確定された診断提供用医用画像と撮影オーダー情報とを送信したりする。
【０１０８】
そして、このような場合に、移動型Ｘ線撮影装置５０と有線ＬＡＮとをいちいちケーブルで接続してデータ等の送受信を行うのでは、放射線技師等の操作者にとってデータ等の送受信作業が面倒なものとなる。そこで、このような場合には、データ等の送受信を無線方式で行うように構成した方がよい。
【０１０９】
しかし、上記のように電波状態が悪くなる可能性や、ＦＰＤカセッテ１とコンソール６０間の無線通信が他の電子機器等に悪影響を及ぼす可能性がなかったり、或いは、少ない場合は、外部装置と移動型Ｘ線撮影装置５０とをわざわざケーブル等で接続して有線通信するよりも、無線通信する方が、放射線技師等の操作者にとっては都合がよい。
【０１１０】
［観点２］データや情報の送受信をどのようなタイミングでどのようにして行うか。
【０１１１】
前述したように、コンソール６０は、ＦＰＤカセッテ１から送信されてきた画像信号Ｄに基づいて診断提供用医用画像を生成し、放射線技師等の操作者により承認されて確定されると、それを撮影オーダー情報とともにＰＡＣＳに送信する。
【０１１２】
しかし、Ｘ線撮影を行うごとに、病室内の移動型Ｘ線撮影装置５０から、生成して確定された診断提供用医用画像をＰＡＣＳに送信するように構成すると、やはり、電波状態が悪かったり、或いは診断提供用医用画像等を送信するごとに病室内の他の電子機器等に悪影響を及ぼしてしまう虞れがある。
【０１１３】
そのため、確定された診断提供用医用画像の送信は、病室等で撮影ごとに行うのではなく、後でまとめて送信する方がよい。
【０１１４】
また、移動型Ｘ線撮影装置５０に搭載されたコンソール６０のＲＩＳからの撮影オーダー情報の取得（受信）は、通常は、撮影前にまとめて行われるが、撮影オーダー情報の追加がある場合には、随時、追加取得が行われるように構成した方が放射線技師等の操作者にとっては都合がよい。
【０１１５】
［観点３］コンソール６０の表示部６０ａ（図５等参照）上にプレビュー画像p_pre（図９参照）等の、患者の個人情報に関する事柄を表示するか否か。
【０１１６】
上記のように、移動型Ｘ線撮影装置５０を使用したＸ線撮影の際、移動型Ｘ線撮影装置５０に搭載されたコンソール６０の表示部６０ａ上には、撮影オーダー情報（図８参照）やプレビュー画像p_pre、或いはそれに基づいて生成された診断提供用医用画像など、患者の個人情報に関する事柄が表示される機会が多い。
【０１１７】
しかし、移動型Ｘ線撮影装置５０が病室まで移動する間など、移動型Ｘ線撮影装置５０でＸ線撮影を行っていない場合には、コンソール６０の表示部６０ａ上に何も表示せず、或いはＸ線撮影には関係ない画像を表示するように構成し、少なくとも表示部６０ａ上に患者の個人情報に関する事柄を表示しないように構成する方が好ましい。
【０１１８】
例えば、前述したように、本実施形態では、移動型Ｘ線撮影装置５０は、支柱５６を中心としてＸ線源５７（図５参照）を回動させる等してＸ線源５７をＸ線撮影のポジションに移動させることで初めてＸ線撮影を行うことができるようになっている。そこで、Ｘ線源５７がＸ線撮影のポジションに移動されたことをもって、コンソール６０の表示部６０ａ上の表示を、撮影に関係のない表示から、撮影オーダー情報等の撮影に関係する表示に切り替えるように構成することが可能である。
【０１１９】
以下、上記のような観点を考慮しながら、本実施形態に係る移動型Ｘ線撮影装置５０を病院等の施設内で実際に使用する場合の具体例について説明する。
【０１２０】
移動型Ｘ線撮影装置５０を放射線科の置き場からＸ線撮影を行う病室等に移動させる途中で、移動型Ｘ線撮影装置５０が病院内の無線ＬＡＮエリアに進入した際に、移動型Ｘ線撮影装置５０に搭載されたコンソール６０は、無線通信手段であるアクセスポイント６４を介してＲＩＳから撮影オーダー情報を取得する。
【０１２１】
撮影オーダー情報を受信するまでは、コンソール６０の表示部６０ａ上には何も表示しない状態、或いは表示部６０ａ上に撮影に関係のない表示をする状態とする。そして、ＲＩＳから撮影オーダー情報を取得すると、表示部６０ａ上に撮影オーダー情報を表示する状態に切り替える。
【０１２２】
放射線技師等の操作者が、コンソール６０の表示部６０ａに表示された撮影オーダー情報の中からこれから行うＸ線撮影に関する撮影オーダー情報を選択し、それを完了する間は、表示部６０ａ上に受信した各撮影オーダー情報のリスト（例えば図８参照）が表示される。
【０１２３】
撮影オーダー情報の選択が終了し、移動型Ｘ線撮影装置５０の駆動部５５ｂ（図６参照）が駆動され、後輪５４および前輪５３の回転が始まると、コンソール６０の表示部６０ａ上の表示は、撮影オーダー情報等の患者の個人情報に関する事柄を表示しない状態に切り替えられる。これにより、移動中にすれちがう人々の視線に、撮影オーダー情報等の個人情報が触れることがなくなる。
【０１２４】
なお、移動型Ｘ線撮影装置５０は、車輪駆動して移動している間は、撮影オーダー情報の取得以外、少なくともＸ線撮影に関する事項を行わない。そのため、例えばＦＰＤカセッテ１において電力供給モードをスリープモードに遷移させるのと同様に、移動型Ｘ線撮影装置５０が移動している間、コンソール６０を省エネモードに切り替え、表示部６０ａに何も表示されないブラックアウト状態にするように構成することも可能である。
【０１２５】
また、上記のように、コンソール６０には、ＲＩＳからの撮影オーダー情報の追加取得（受信）が随時行われるが、撮影オーダー情報が追加取得された場合には、コンソール６０は、例えば音声や部分的表示等で新たに撮影オーダー情報を追加取得したことを放射線技師等の操作者に告知する。
【０１２６】
そのために、例えば移動型Ｘ線撮影装置５０に図示しないＬＥＤを設けておき、移動型Ｘ線撮影装置５０の制御手段６７（図６参照）は、一定時間（または距離）ごとに無線ＬＡＮに対してポーリングを行い、通信経路が確立されると当該ＬＥＤを点灯させる。また、通信経路が確立されない場合にはＬＥＤを消灯させる。そして、例えば撮影オーダー情報を取得している間はＬＥＤを点滅させるように構成することも可能である。
【０１２７】
そして、これを見た放射線技師等の操作者が、移動型Ｘ線撮影装置５０を停止させると、コンソール６０は、表示部６０ａ上の表示を、患者の個人情報に関する事柄を表示しない状態（ブラックアウト状態を含む。以下同じ。）から、撮影オーダー情報のリストが表示される状態に切り替える。
【０１２８】
そして、操作者が追加された撮影オーダー情報を確認して、再度駆動部５５ｂを駆動させて移動型Ｘ線撮影装置５０の移動を再開すると、コンソール６０は、表示部６０ａ上の表示を、撮影オーダー情報等の患者の個人情報に関する事柄を表示しない状態に切り替える。
【０１２９】
病室等の撮影場所に到着し、移動型Ｘ線撮影装置５０の移動が停止されると、コンソール６０は、表示部６０ａ上の表示を、撮影オーダー情報のリスト等が表示される状態に切り替える。或いは、Ｘ線源５７がＸ線撮影のポジションに移動された時点で、コンソール６０の表示部６０ａ上の表示を、撮影に関係のない表示から、撮影オーダー情報等の撮影に関係する表示に切り替えるように構成することが可能である。
【０１３０】
なお、放射線技師等の操作者が、移動型Ｘ線撮影装置５０のコンソール６０上で撮影オーダー情報を選択すると、選択された撮影オーダー情報の情報が、無線ＬＡＮ等を通じてＲＩＳ等に通知され、他の移動型Ｘ線撮影装置５０のコンソール６０では当該撮影オーダー情報を選択できないように管理される。重複して撮影されることを防止するためである。
【０１３１】
一方、撮影に先だち、撮影室と回診とで共通使用されるＦＰＤカセッテ１の場合、使用するＦＰＤカセッテ１に、移動型Ｘ線撮影装置５０のアクセスポイント６４（図６参照）のＳＳＩＤを設定する必要がある。ＦＰＤカセッテ１にＳＳＩＤを設定する方法としては、例えば特開２０１２−１３９２５８号公報や特開２０１２−１０５７８７号公報に記載された方法等を採用することが可能である。また、ペアとなる移動型Ｘ線撮影装置５０が変更される場合も、同様である。
【０１３２】
その際、ＳＳＩＤ設定のためには、例えば一旦ＦＰＤカセッテ１と移動型Ｘ線撮影装置５０とを図示しないケーブルを接続し、例えば中継器６６の制御手段６７からＦＰＤカセッテ１にＳＳＩＤをダウンロードするように構成される。なお、この作業は、移動型Ｘ線撮影装置５０を移動させる前に行っておくことが好ましい。
【０１３３】
上記のように複数のＦＰＤカセッテ１を搭載する場合には、各ＦＰＤカセッテ１をそれぞれケーブル接続して移動型Ｘ線撮影装置５０のアクセスポイント６４のＳＳＩＤがダウンロードされる。その際、各ＦＰＤカセッテ１には共通のＳＳＩＤが設定される。
【０１３４】
或いは、病院等の施設が保有する各移動型Ｘ線撮影装置５０のアクセスポイント６４の各ＳＳＩＤを予めＦＰＤカセッテ１にインプットしておくことも可能である。この場合、放射線技師等の操作者がＦＰＤカセッテ１を操作して各ＳＳＩＤを使用したポーリングを繰り返し、通信が確立されたＳＳＩＤを使用することとしてもよい。
【０１３５】
次に、Ｘ線撮影を行う際には、放射線技師等の操作者は、移動型Ｘ線撮影装置５０に搭載されたコンソール６０上で、これから行うＸ線撮影に関する撮影オーダー情報を選択する。そして、撮影オーダー情報が選択されると、撮影オーダー情報中に指定されている撮影条件が移動型Ｘ線撮影装置５０の制御部５５ａ（図６参照）に通知され、照射条件等がジェネレータ側で自動設定される。
【０１３６】
そして、操作者によりコンソール６０上で使用するＦＰＤカセッテ１が選択されると、コンソール６０は、選択されたＦＰＤカセッテ１に覚醒信号を送信して当該ＦＰＤカセッテ１の電力供給モードをスリープモードから覚醒モードに遷移させる。この時点で、ＦＰＤカセッテ１は変換素子７のリセット処理を開始する。
【０１３７】
なお、放射線技師等の操作者が、ＦＰＤカセッテ１自体でＸ線の照射開始を検出するか、ＦＰＤカセッテ１とＸ線源５７の制御部５５ａとが同期をとりながらＸ線撮影を行うかを選択するように構成することも可能である。また、デフォルトとしていずれの方法を設定するかを予め決めておくように構成することも可能である。
【０１３８】
そして、操作者は、移動型Ｘ線撮影装置５０のカセッテ保持部６３（図５参照）から、使用するＦＰＤカセッテ１を取り出す。その際、ＦＰＤカセッテ１が充電中であれば、ＦＰＤカセッテ１がカセッテ保持部６３から取り出される時点で充電は停止される。
【０１３９】
そして、放射線技師等の操作者は、ＦＰＤカセッテ１を患者の身体にあてがう等してセットし、Ｘ線源５７の位置調整をしたうえで、移動型Ｘ線撮影装置５０の所に戻って曝射スイッチ６２（図５参照）を操作してＸ線源５７からＸ線を照射する。
【０１４０】
このようにしてＸ線撮影が行われると、前述したように、ＦＰＤカセッテ１からコンソール６０にプレビュー画像用信号（間引き信号）が送信される。コンソール６０は、プレビュー画像用信号等に基づいてプレビュー画像を生成し、表示部６０ａ上に生成したプレビュー画像p_preを表示する（図９参照）。
【０１４１】
続いて、ＦＰＤカセッテ１から全画像信号、およびＸ線撮影の前または後に行われるダーク読取処理で読み取られたダーク読み取り信号が送信されてくると、コンソール６０は、それらに基づいてオフセット補正やゲイン補正、欠陥画素補正、撮影部位に応じた階調処理等の画像処理を行って診断提供用医用画像を生成し、生成した診断提供用医用画像をプレビュー画像p_pre上に上書きして表示する。なお、オフセット補正、ゲイン補正、欠陥補正等はＦＰＤカセッテ１側で実施されてもよい。
【０１４２】
そして、表示された診断提供用医用画像を見た放射線技師等の操作者が、「ＯＮ」ボタンをクリックする等して承認すると、コンソール６０は、診断提供用医用画像をそれに対応する撮影オーダー情報に対応付けて確定する。
【０１４３】
しかし、病室等では診断提供用医用画像のＰＡＣＳへの送信は撮影毎には行われず、一或いは複数の患者に係る一、或いは、複数のＸ線撮影が終了して、移動型Ｘ線撮影装置５０を所定の無線ＬＡＮの位置に移動させた時点で、無線方式で無線ＬＡＮに送信される。そして、診断提供用医用画像は撮影オーダー情報に対応付けられた状態で、無線ＬＡＮを介してＰＡＣＳに送信される。
【０１４４】
なお、上記の診断提供用医用画像の確定操作は患者単位でまとめて行うことも可能である。例えば、一の患者の複数撮影を行う際には、患者を早期に撮影用の拘束状態から解放することが好ましいため、放射線技師等の操作者は撮影ごとにプレビュー画像p_preの確認のみを行う。
【０１４５】
このようにすれば、直ちに次の撮影のポジショニングに取りかかることが可能となり、一連の撮影を速やかに行うことが可能となる。また、最後に纏めて一の患者に係る複数の診断提供用医用画像を並べてコンソール６０上に表示させれば、各医用画像間の濃度整合性等を確認できるため、画質安定化につながり好ましい。
【０１４６】
［効果］
以上のように、本実施形態に係る移動型Ｘ線撮影装置５０によれば、例えば、病室等では移動型Ｘ線撮影装置５０に搭載されたコンソール６０とＦＰＤカセッテ１と間の通信を有線方式で行うことで、病室内の電波状態が悪い場合でもＦＰＤカセッテ１で読み出された画像信号Ｄが的確にコンソール６０に送信されるようにする。また、ＦＰＤカセッテ１からコンソール６０への画像信号Ｄの送信等を無線通信で行うと、病室内の他の電子機器等に悪影響を及ぼしてしまう虞れがあるが、有線方式で通信を行うことでこのような事態が生じることを防止することが可能となる。
【０１４７】
また、移動型Ｘ線撮影装置５０を移動させる途中で病院等の施設内の無線ＬＡＮエリアに進入した際に、移動型Ｘ線撮影装置５０に搭載されたコンソール６０が、無線通信手段であるアクセスポイント６４を介してＲＩＳから撮影オーダー情報を取得する。そのため、放射線技師等の操作者が撮影オーダー情報を取得するためにいちいちケーブルを有線ＬＡＮのポートに接続する必要がなくなり、撮影オーダー情報の取得を容易に行うことが可能となる。そのため、移動型Ｘ線撮影装置５０が操作者にとって使い勝手がよいものとなる。
【０１４８】
なお、移動型Ｘ線撮影装置５０が無線ＬＡＮエリアに進入した際の技師による入力操作（例えば、図示せぬボタン操作等）があった場合にのみ制御部５５ａがアクセスポイントへの給電開始して無線通信機能を有効化し、無線ＬＡＮエリアからの退避を示す入力操作で給電停止して無線通信機能を無効化することで、不要な定期的ポーリング等の無線通信を移動中に繰返すことによる病院内の他の電子機器等へ悪影響を与えるリスクを低減可能となるので好ましい。
【０１４９】
また、制御部５５aは、車輪駆動している（即ち移動中でありＸ線撮影を行わない）ことを判断して、アクセスポイントへの給電を停止させて無線通信を中断することでも、上記と同様の効果が得られる。尚、この方式の場合には、移動型Ｘ線撮影装置５０を一旦、停車する（駆動部５５ｂを停止する）ことで、無線通信部への給電が再開され、撮影オーダー情報の取得が可能となる。
【０１５０】
また、その際、例えば、移動型Ｘ線撮影装置５０の接続ポート６５（図６参照）にケーブルが接続される等して移動型Ｘ線撮影装置５０（コンソール６０を含む。）が有線通信を行っている場合には有線通信のみを行い、無線通信を行えないように構成し、また、接続ポート６５にケーブルが接続されていない場合は無線通信のみを行うように構成する。
【０１５１】
このように、本実施形態に係る移動型Ｘ線撮影装置５０では、有線通信を行う場面と無線通信を行う場面とを的確に分けるように制御すること可能となる。そのため、移動型Ｘ線撮影装置５０を用いて、電波状態が種々異なる状態の病室等でも的確にＸ線撮影を行うことが可能となり、病室等内の他の電子機器等に悪影響を及ぼすことなく、ＦＰＤカセッテ１からコンソール６０に画像信号Ｄを送信したり、コンソール６０からＲＩＳに確定された診断提供用医用画像を送信したりすることが可能となる。
【０１５２】
そのため、移動型Ｘ線撮影装置５０は、撮影環境が整った撮影室ではなく、病室等に持ち込んでＸ線撮影を行う場合でも、移動型Ｘ線撮影装置５０を現実的な使用環境に的確に適合させてＸ線撮影を行うことが可能となり、放射線技師等の操作者にとって、実際の使用環境に適合した使い勝手のよい装置とすることが可能となる。
【０１５３】
また、例えば、Ｘ線撮影を行っている場合や、ＲＩＳから撮影オーダー情報を取得している場合以外の場合には、コンソール６０はその表示部６０ａ上に患者の個人情報に関する事柄を表示しないように構成されている。
【０１５４】
そのため、移動型Ｘ線撮影装置５０は、Ｘ線撮影に必要な撮影オーダー情報やプレビュー画像p_pre等の患者のプライバシーに関する個人情報が、放射線技師等の操作者以外の目に触れることが極力避けられた状態でＸ線撮影を行うことが可能となり、この点でも、移動型Ｘ線撮影装置５０を現実的な使用環境に的確に適合させることが可能となり、実際の使用環境に適合した使い勝手のよい装置とすることが可能となる。
【０１５５】
［変形例１−１］
なお、ＲＩＳやＰＡＣＳ等と移動型Ｘ線撮影装置５０との間で有線ＬＡＮを介して通信を行うように構成することも可能である。
【０１５６】
また、ＲＩＳやＰＡＣＳ等と無線ＬＡＮや有線ＬＡＮを介して通信を行い、撮影オーダー情報を取得したり、診断画像を送信したりする機能は、移動型Ｘ線撮影装置５０の電源部５５ｄ（図６参照）を充電するために病院等の施設の建物等の交流電源（１００Ｖの商用電源）とつながっている際にも、移動型Ｘ線撮影装置５０が移動している間にも、通信可能とすることが好ましい。
【０１５７】
移動型Ｘ線撮影装置５０は待機時に充電しておく場合が多く、その間にデータ送受信すると放射線技師の作業の効率アップにつながる。また、移動型Ｘ線撮影装置５０が移動している最中に送受信を行えば、放射線技師等の操作者が移動する等している間に信号やデータ等がやり取りされるため、操作者の作業の効率アップにつながるメリットがある。
【０１５８】
また、移動型Ｘ線撮影装置５０の電源部５５ｄを充電中に、コンソール６０とＲＩＳ等の外部装置との間の通信を可能とすることが望ましい。移動型Ｘ線撮影装置５０の充電中にＲＩＳ等と通信を行うことにより撮影オーダー情報を取得することが可能となり、放射線技師等の操作者の撮影オーダー情報取得のための待機時間が減り、作業効率がアップする。
【０１５９】
［変形例１−２］
一方、前述したように、病室等でＸ線撮影を行う際にＦＰＤカセッテ１と移動型Ｘ線撮影装置５０とを図示しないケーブルで接続して有線方式で画像信号Ｄの送信等を行う場合、ＦＰＤカセッテ１とケーブル接続する接続ポート６５（図６参照）は、Ｘ線源５７の支柱５６（図５参照）が設けられた移動型Ｘ線撮影装置５０の前方のカバー５１部に設けられることが好ましい。
【０１６０】
また、その際、できるだけ上方に配置することが好ましい。これは、患者撮影時に当該ケーブルを伝って患者の体液や点滴液等の水分が流れる可能性があり、これらが接続ポート６５に達してショートさせることがないようにするためである。また、ケーブルが短いと、ＦＰＤカセッテ１がケーブルで引っ張られる等して患者の身体に対するＦＰＤカセッテ１の位置がずれる等する虞れがあるため、ケーブルは長い方が好ましい。
【０１６１】
さらに、衛生上、或いは、ケーブルが移動型Ｘ線撮影装置５０の車輪５３、５４で踏まれないようにするために、ケーブルが、病室等の床面に触れないように接続されることが好ましい。また、撮影時にケーブルが外れることを防止するために、接続ポート６５にロック機能が設けられていることが好ましい。
【０１６２】
［変形例１−３］
また、図示を省略するが、保管していたＣＲカセッテを実際の撮影に使用するに際しては、撮影オーダー情報とＣＲカセッテの対応付けを行い、患者間での撮影取り違えを防止するため、例えば、撮影前後にＣＲカセッテのバーコードを、移動型Ｘ線撮影装置５０本体に設けたバーコードリーダーで読み取り、ＣＲカセッテを撮影オーダー情報と対応付けるように構成することが好ましい。
【０１６３】
ＣＲシステムでは、一度撮影に使用したＣＲカセッテに重複曝射を行わないようにするため、一度撮影オーダー情報と対応付けられたＣＲカセッテは他の撮影オーダー情報と対応付けることができないように構成され、撮影後、画像読取装置でＣＲカセッテから画像信号が読み取られ、プレート消去等を終えた後で、初めて、他の撮影オーダー情報との対応付けができるように構成される。
【０１６４】
この点については、本実施形態に係る移動型Ｘ線撮影装置５０においても同様に構成されている。
【０１６５】
なお、ＲＩＳとのネットワーク連携を行わず、ＲＩＳから発行された撮影オーダー情報が、紙に印刷したオーダーシートの形で使用される場合もあり、バーコードリーダーは、紙にバーコード印刷された撮影オーダー情報のコンソール６０等への入力手段として使用される場合もある。
【０１６６】
また、バーコードリーダーは移動型Ｘ線撮影装置５０本体に対して着脱自在に構成し、ＣＲカセッテのバーコードを読み取るだけでなく、紙に印刷された患者情報を表すバーコードを読み取る処理等にも使用することができる。また、患者に付された患者ＩＤを読み取り、撮影オーダー情報中の患者情報との一致（或いは不一致）の確認に使用することも可能である。また、移動型Ｘ線撮影装置５０本体とケーブル等で接続せずに、バーコードリーダーが、Ｂｌｕｅｔｏｏｔｈ（登録商標）方式で移動型Ｘ線撮影装置５０と無線通信を行うように構成することも可能である。
【０１６７】
［変形例１−４］
また、上記の実施形態では、プレビュー画像p_pre（図９参照）をコンソール６０の表示部６０ａ上に表示する場合について説明したが、この他にも、例えば図１０に示すように、放射線技師等の操作者ＥにＰＤＡ（Personal Digital Assistants）やｉＰａｄ（登録商標）等の携帯端末７０を首からぶら下げる等して携帯させ、移動型Ｘ線撮影装置５０に搭載されたコンソール６０から生成したプレビュー画像p_preの情報を携帯端末Ｅに送信させる。そして、携帯端末７０の表示部７１にプレビュー画像p_pre等を表示させる。
【０１６８】
このように構成すれば、放射線技師等の操作者が、次のＸ線撮影に向けて患者ＨやＦＰＤカセッテ１のポジショニング等を行って撮影準備を行っている間に、移動型Ｘ線撮影装置５０の所まで戻ることなく、患者Ｈのそばでプレビュー画像p_preを確認することが可能となり、好ましい。
【０１６９】
［変形例１−５］
また、移動型Ｘ線撮影装置５０のいわゆるリモートメンテナンスを行うように構成することも可能である。
【０１７０】
移動型Ｘ線撮影装置５０に、例えば後輪５４の車軸に取り付けたエンコーダーのカウント数や、駆動部５５ｂの駆動状態を検知する図示しない検知手段を設け、その検知手段からの情報を無線方式で通信して移動型Ｘ線撮影装置５０が走行中であるか非走行中（すなわち停止中）であるかを検出する。
【０１７１】
そして、移動型Ｘ線撮影装置５０が停止中である際に、移動型Ｘ線撮影装置５０の制御部５５ａ等から必要なデータを無線方式で収集し、或いは制御部５５ａにデータを送信する等してデータ書き込みを行わせてバージョンアップする等、移動型Ｘ線撮影装置５０の自動メンテナンスを行う。
【０１７２】
このように構成することで、移動型Ｘ線撮影装置５０が走行中にリモートメンテナンスを行って無線通信が切れてしまいデータ収集の失敗や書き込みエラーになってリモートメンテナンスを行うことができなくなる事態を回避することが可能となる。そして、移動型Ｘ線撮影装置５０が停止中であることを確認しながらリモートメンテナンスを行うことが可能となり、リモートメンテナンスを的確かつ確実に行うことが可能となる。
【０１７３】
また、この場合は、無線方式で行うように構成することで、有線方式で行って移動型Ｘ線撮影装置５０の走行によってケーブルが切断される等の事態が生じることを的確に防止することが可能となる。
【０１７４】
なお、無線方式でリモートメンテナンスを行う場合も、移動型Ｘ線撮影装置５０が走行を開始したことを検出した時点で、リモートメンテナンスを終了するように構成することが好ましい。このように構成すれば、例えば放射線技師等の操作者がリモートメンテナンス中であることに気付かず、或いは失念して、移動型Ｘ線撮影装置５０を走行させた場合でもトラブルが生じることを防止することが可能となる。
【０１７５】
また、無線方式でリモートメンテナンスを行う場合、移動型Ｘ線撮影装置５０周囲の電波強度を測定する手段を設け、ある一定以上の強度の時に、リモートメンテナンスを実行可能とするように構成することも可能である。このように構成すれば、電波強度の低下によるトラブルを防止することができる。
【０１７６】
さらに、電波強度の測定と、移動型Ｘ線撮影装置５０の走行状態検出とを組み合わせて使用することも可能である。電波強度がある一定以上の強度である状態で、移動型Ｘ線撮影装置５０が停止時に、リモートメンテナンスを的確に行うことが可能となり、トラブルが生じることを的確に防止することが可能となる。
【０１７７】
［変形例１−６］
上記の実施形態では、コンソール６０上で撮影オーダー情報が選択されると、コンソール６０から移動型Ｘ線撮影装置５０の本体部５５の制御部５５ａに、選択された撮影オーダー情報に指定された撮影条件等の情報が送信され、移動型Ｘ線撮影装置５０の制御部５５ａがその撮影条件等の情報に基づいて管電流や管電圧、照射時間等を自動設定する場合について説明した。
【０１７８】
しかし、これ以外にも、図示を省略するが、例えば、コンソール６０の表示部６０ａ上に、各撮影部位ごとの撮影条件キーを表示するように構成し、各撮影条件キーに照射条件（すなわち管電流や管電圧、照射時間等）を予め対応付けておく。そして、放射線技師等の操作者が一の撮影条件キーをクリックする等して選択すると、コンソール６０から移動型Ｘ線撮影装置５０の制御部５５ａに照射条件が送信されてそれらが自動設定されるように構成することも可能である。
【０１７９】
また、このように構成する代わりに、例えば、コンソール６０の表示部６０ａ上に、各撮影部位ごとの撮影条件の一覧を表示するように構成し、また、コンソール６０の表示部６０上にジェネレータ制御用のウインドウを開くことができるように構成する。
【０１８０】
そして、放射線技師等の操作者が上記の一覧の中からある照射条件を選び、コンソール６０の表示部６０上に開いたジェネレータ制御用のウインドウに当該照射条件をコピーアンドペーストするように構成することも可能である。或いは、放射線技師等の操作者が、ジェネレータ制御用のウインドウ上に、管電流等の数値を直接入力するように構成することも可能である。
【０１８１】
なお、上記のいずれかの方法で設定された照射条件を修正してＸ線撮影を行った場合には、撮影後に、修正後の照射条件を撮影オーダー情報や診断提供用医用画像とに対応付けるように構成する必要がある。修正がない場合には、移動型Ｘ線撮影装置５０の制御部５５ａにダウンロードした照射条件が、撮影直後、自動的にコンソール６０に送信され、コンソール６０が自動的に撮影オーダー情報や診断提供用医用画像に対応付けるようになっている。
【０１８２】
ＣＲカセッテ４０とＰＦＤカセッテ１では同一の撮影部位に対する最適照射条件が異なる。例えば、Ｘ線源５７から照射するＸ線の線量率（単位時間あたりの線量）は、一般的に、ＣＲカセッテ４０に照射する場合の方がＦＰＤカセッテ１に照射する場合よりも大きくなる。
【０１８３】
そして、ＦＰＤカセッテ１を用いる撮影からＣＲカセッテ４０を用いる撮影への変更、或いはその逆の場合には、基本的には、照射条件の設定を変更する必要が生じる。なお、患者の被曝線量低減の観点からは必須だが、画像生成という観点から言うと、ＦＰＤカセッテ１の変換素子７やＣＲカセッテ４０の輝尽性蛍光体プレートが、線量に対してそれぞれ飽和していなければ、画像処理の際にデジタル処理で各画素の信号値を修正することは可能なので、設定変更が不要となるケースもあり得る。
【０１８４】
ＦＰＤカセッテ１を用いる当初の予定が、ＦＰＤカセッテ１の故障やバッテリー切れ等で当該ＦＰＤカセッテ１を用いた撮影ができなくなり、ＣＲカセッテ４０に変更する場合には、例えば国際公開２０１１／１４２１５７号パンフレットに公開されたワークフローを採用することができる。
【０１８５】
また、例えば、コンソール６０の表示部６０ａ（図５等参照）や携帯端末７０の表示部７１（図１０参照）の画面中に『ＣＲボタン』アイコンを表示し、これがクリックされたりタッチされたりすると、移動型Ｘ線撮影装置５０の制御部５５ａが、照射条件を、ＦＰＤカセッテ１に対する照射条件からＣＲカセッテ４０に対する照射条件に自動的に変更するように構成してもよい。
【０１８６】
なお、ＦＰＤカセッテ１を前述した同期方式で使用している場合には、上記のＣＲカセッテ４０への変更が行われると、ＣＲカセッテ４０では同期確認のためのインターロック処理等の処理は不要になるため、インターロック処理は解除される。
【０１８７】
また、ＣＲボタンアイコンが操作されると、この後にバーコードリーダーから入力されるＣＲカセッテのバーコード情報が撮影オーダー情報と対応付けられる。そして、ＣＲカセッテ４０から画像信号を読み取る画像読取装置は移動型Ｘ線撮影装置５０には搭載されていないため、撮影後、画像読取装置の所にＣＲカセッテ４０を持って行き、ＣＲカセッテ４０を装填して、画像信号を読み取る。そして、読み取られた画像信号は、ＣＲカセッテ４０のバーコード情報に基づいて移動型Ｘ線撮影装置５０のコンソール６０に送信されて、撮影オーダー情報と対応付けられる。
【０１８８】
本実施形態の移動型Ｘ線撮影装置５０では、デフォルトの状態がＦＰＤカセッテ１を用いた撮影を行うモードに設定されているため、ＣＲカセッテ４０を用いたＸ線撮影の終了時は、次の撮影に向けて、ＦＰＤカセッテ１を用いたことを前提とした照射条件の設定等が行われる。
【０１８９】
なお、移動型Ｘ線撮影装置５０にＣＲカセッテ４０を選択する専用のハードボタンを設けることとしてもよい。この場合、これから撮影しようとしている一の撮影に対してのみ有効とし、以後、継続してＣＲカセッテ４０を用いてＸ線撮影を行う場合には、その都度、ＣＲボタンを押すように構成される。
【０１９０】
また、ＣＲボタンの長押しで、ＦＰＤカセッテ１からＣＲカセッテ４０への変更を行うこととしてもよい。この場合、改めてＣＲボタンを押さなくても、以後の撮影は全てＣＲカセッテ４０が用いられることが前提となる。また、再度長押しすることで、今度は、ＣＲカセッテ４０を用いる状態からＦＰＤカセッテ１を用いる状態に戻るように構成することも可能である。この時、同時にビープ音を発声させる等して、放射線技師等の操作者にモードが変更されたことを認識させることが好ましい。
【０１９１】
さらに、ＣＲカセッテ４０を用いる撮影を行う場合、使用するＣＲカセッテ４０のバーコード情報の入力がないとＸ線源５７からＸ線を照射できないようにするインターロック制御が行われることが好ましい。このように構成することで、１枚のＣＲカセッテ４０にＸ線が多重に照射されるリスクを回避することが可能となる。
【０１９２】
［変形例１−７］
移動型Ｘ線撮影装置５０を用いたＸ線撮影では、病室Ｒ１内での患者ＨのベッドＢ単位での撮影になる（例えば図１０参照）。そのため、バーコードリーダー等で患者ＩＤがバーコード入力されると、コンソール６０が、撮影オーダー情報のリストから当該患者に係る全ての撮影オーダー情報を抽出し、例えば、表示部６０ａ上に、抽出された各撮影オーダー情報の一覧や、それらに対応する各アイコンを表示するように構成することが可能である。
【０１９３】
この場合、撮影数が多いほど、撮影オーダー情報の一覧において１つの撮影オーダー情報を表示する行を狭くしたり、各アイコンが小さくなるように表示させるように構成することが可能である。このように構成すると、放射線技師等の操作者が、コンソール６０の表示部６０ａ上の表示を見て、直感的に、これから撮影しようとする撮影数が多いか少ないかを把握することが可能となり、好ましい。
【０１９４】
また、例えば、各撮影オーダー情報に対応する各アイコン上に、生成したプレビュー画像p_preや診断提供用医用画像を上書き表示していくように構成することも可能である。このように構成すれば、画像が上書き表示されていないアイコンの数だけ、今後撮影を行うことが必要になるため、放射線技師等の操作者がそのような表示を見て、あと何回撮影を行うかを容易に認識することが可能となる。また、撮影し忘れや超過撮影が生じることを的確に防止することが可能となる。
【０１９５】
［変形例１−８］
また、移動型Ｘ線撮影装置５０のハンドルバー６１（図５参照）の高さを調整できるように構成することが可能である。また、移動型Ｘ線撮影装置５０のカバー５１上面に対するコンソール６０やその表示部６０ａの角度を調整できるように構成することも可能である。
【０１９６】
これらを調整可能とすることで、例えば身長が異なる放射線技師等の操作者が移動型Ｘ線撮影装置５０を使用しても、自分の身長にあわせてハンドルバー６１の高さやコンソール６０の角度を調整することが可能となり、好ましい。
【０１９７】
また、例えば、ハンドルバー６１の高さを調整すると、その調整量に応じてコンソール６０やその表示部６０ａの角度が自動的に変わるように構成することも可能である。例えば、背の低い操作者の場合はハンドルバー６１の高さを低くするが、それに応じてコンソール６０やその表示部６０ａの角度をより立てる方向に変えることで、操作者のハンドルバー６１の操作性やコンソール６０の表示部６０ａの視認性を向上させることが可能となる。
【０１９８】
［変形例１−９］
なお、上記の実施形態では、移動型Ｘ線撮影装置５０のカセッテ保持部６３（図５参照）を、移動型Ｘ線撮影装置５０の最後方の位置に配置する場合について説明した。そして、この場合、ＦＰＤカセッテ１やＣＲカセッテ４０の面が移動型Ｘ線撮影装置５０の前後方向を向くように、ＦＰＤカセッテ１等がいわば横置きされた状態でカセッテ保持部６３に装填されて保管される状態になる。
【０１９９】
しかし、この他にも、図示を省略するが、カセッテ保持部を、例えば移動型Ｘ線撮影装置５０の本体部５５の側壁と側面カバー５１との間に空間を利用して設けるように構成することも可能である。そして、この場合は、ＦＰＤカセッテ１やＣＲカセッテ４０の面が移動型Ｘ線撮影装置５０の左右方向を向くように、ＦＰＤカセッテ１等がいわば縦置きされた状態でカセッテ保持部に装填されて保管される状態になる。
【０２００】
また、これらを組み合わせて、例えば、１７×１７インチ等の大きなサイズのＦＰＤカセッテ１やＣＲカセッテ４０等を移動型Ｘ線撮影装置５０の本体部５５の側壁と側面カバー５１との間に空間に設けられたカセッテ保持部に縦置き状態に装填し、１０×１２インチ等の小さいＦＰＤカセッテ１等を移動型Ｘ線撮影装置５０の最後方の位置に設けられたカセッテ保持部６３に横置き状態に装填するように構成することも可能である。
【０２０１】
［変形例１−１０］
また、手術室等で使用される移動型Ｘ線撮影装置５０の場合には、手術室内の複数の医師等で撮影画像を共有閲覧可能とすべく、大画面モニターや高精細モニター（通常の１２ビット諧調に対し１６ビット諧調）に撮影画像を表示することもあり、無線、或いは、有線でこれのモニターに接続可能とされることがこの好ましい。また、この場合、接続ポート６５を、ＨＤＭＩ（登録商標）（High Definition Multimedia interface）専用ポートに構成することも可能である。
【０２０２】
また、ＲＩＳ自動連携ではなく、ＲＩＳから発行された撮影オーダーシートに基づく撮影を行う場合で、バーコードリーダーを備えていないような場合には、患者情報や照射条件をはじめとする撮影に付帯する情報を、撮影毎に、或いは、一の患者の全撮影終了時に、技師等が入力操作を行うこととなる。
【０２０３】
移動型Ｘ線撮影装置５０に設けられた操作部（コンソール）６０は１９インチのタッチパネル付きであるので、ソフトキーボードを使用した入力操作となる。入力操作が多い場合にはかなりの工数（時間）を要するが、一般的な技師は、通常のキー配列を有するハードキーボードでの入力操作に慣れている場合が多く、いわゆるブラインドタッチで短時間に入力操作を終えることができるので、ハードキーボード（必要に応じてはマウス含む）を接続使用可能に構成されていることが好ましい。
【０２０４】
［第２の実施の形態］
上記の第１の実施形態では、移動型Ｘ線撮影装置５０を製造する当初の段階から、ＦＰＤカセッテ１を用いたＸ線撮影が想定され、コンソール６０等が予め搭載された、いわばＦＰＤカセッテ１を用いたＸ線撮影用の移動型Ｘ線撮影装置５０について説明した。
【０２０５】
しかし、例えば、前述したように、ＣＲカセッテ４０を用いたＸ線撮影を想定した既存の移動型Ｘ線撮影装置５０＊（この装置にはＦＰＤ制御機能及びジェネレータ制御機能の両方を司る操作部であるコンソール６０等は搭載されておらず、ジェネレータ制御用の操作部のみが搭載されている。）に、新たなＦＰＤ制御用コンソール６０等（一般的にはＰＣ）を搭載させる等して、ＦＰＤカセッテ１を用いたＸ線撮影も行えるように移動型Ｘ線撮影装置５０＊を改変させて使用する場合もある。
【０２０６】
この場合、既存の移動型Ｘ線撮影装置５０＊に、例えば、ＦＰＤカセッテ１や、無線通信機能を有し、有線通信機能をも有するコンソール６０等を搭載するように構成することで、改変された移動型Ｘ線撮影装置５０＊を、第１の実施形態における移動型Ｘ線撮影装置５０と同様に用いることが可能となる。
【０２０７】
そして、このような改変された移動型Ｘ線撮影装置５０＊においても、第１の実施形態で説明した移動型Ｘ線撮影装置５０における有線通信と無線通信との切り替えや、ＲＩＳからコンソール６０への撮影オーダー情報の入手、或いはコンソール６０の表示部６０ａ上に患者の個人情報に関する事柄を表示するかしないかの切り替え等を同じ仕方で行うことで、第１の実施形態に係る移動型Ｘ線撮影装置５０と全く同様の有益な効果を得ることが可能となる。
【０２０８】
なお、第２の実施形態においては、移動型Ｘ線撮影装置５０＊の制御部５５ａは、そもそもＦＰＤカセッテ１と同期をとりながらＸ線撮影を行うようには構成されていない。そのため、移動型Ｘ線撮影装置５０＊にＦＰＤカセッテ１を搭載するように改変しても、移動型Ｘ線撮影装置５０＊の制御部５５ａとＦＰＤカセッテ１とが同期をとりながら（すなわちインターロック処理を行いながら）Ｘ線撮影を行うということにはならない。
【０２０９】
そのため、移動型Ｘ線撮影装置５０＊に搭載するＦＰＤカセッテ１としては、上記のようにリークデータｄleak等に基づいてＦＰＤカセッテ１自体でＸ線の照射開始を検出するタイプのＦＰＤカセッテ１を導入することが望ましい。
【０２１０】
［変形例２−１］
なお、第２の実施形態においても、第１の実施形態で説明した［変形例１−１］〜［変形例１−１０］をそれぞれ適用することが可能である。そして、これらを適用することで、第２の実施形態においてもそれぞれの実用上の有益な効果を奏することが可能となる。
【０２１１】
［変形例２−２］
また、第２の実施形態の場合には、移動型Ｘ線撮影装置５０＊の制御部５５ａとＦＰＤカセッテ１との間では、基本的に信号等のやり取りが行われないため、ＦＰＤカセッテ１に対するＸ線の誤照射が生じる可能性が高くなる。そこで、例えば、下記のように構成することで、対誤曝射フェールセーフを行うように構成することが好ましい。
【０２１２】
例えば、特開２０１２−０９５８２２号公報等に記載されているように、移動型Ｘ線撮影装置５０＊の曝射スイッチ６２にカバーを追加し、カバーが開かれると初めて曝射スイッチ６２を操作することができるように構成する。そして、カバーに開閉を検知する検知手段を取り付ける。また、特開２０１０−１０４３９８号公報に記載されているように、曝射スイッチ６２にそのボタンのストロークを検知するストローク検知手段を外付けするように構成することが可能である。
【０２１３】
これらの改変は、いずれも小規模であり、薬事法等の法例に対しても遵法であるので、改変を行うことは可能である。そして、新たに追加される改変部分の電源は、例えば新たに搭載されたコンソール６０から供給するように構成し、検知手段で検知された信号がコンソール６０に入力されるように構成する。
【０２１４】
そして、既存の移動型Ｘ線撮影装置５０＊の曝射スイッチ６２は、いわゆる半押しと全押しの２段階ストローク構造が採用されているものがほとんどであり、１段目の半押し操作がなされると、Ｘ線源５７の図示しない陽極が回転を始める等してスタンバイ状態になる。そして、２段目の全押し操作が行われると、Ｘ線源５７からＸ線が照射される。
【０２１５】
そして、１段目の操作と２段目の操作との間には１秒前後のタイムラグが設けられており、仮に１段目の操作と２段目の操作を連続して行っても、通常、１段目操作と２段目操作との間に１秒前後のタイムラグが生じるように構成される。
【０２１６】
そこで、ＦＰＤカセッテ１を、この曝射スイッチ６２における１秒前後のタイムラグの間に、スリープ状態から撮影を行うことができる状態に遷移させるように構成することも可能である。このように構成すれば、上記のようなＸ線の誤照射が生じることを的確に回避することが可能となる。
【０２１７】
また、ＦＰＤカセッテ１は、患者の身体にぶつかったり圧力を受けたりして衝撃や振動等が加わると、上記のようにして読み出されるリークデータｄleakの値が大きくなり、ＦＰＤカセッテ１にＸ線が照射されていないにもかかわらず、読み出されるリークデータｄleakが閾値ｄleak_th（図４参照）以上に大きくなってＸ線の照射が開始されたと誤検出してしまう場合がある。
【０２１８】
そこで、上記のようにカセッテ自体でＸ線の照射開始を検出することが可能なＦＰＤカセッテ１を用いるとしても、ＦＰＤカセッテ１のポジショニングの最中にはＸ線の照射開始の検出処理を行わず、ポジショニングが決まった後、衝撃や振動等が加わる可能性が低くなった状態でリークデータｄleak等の読み出し処理を開始してＸ線の照射開始の検出処理を開始するように構成することが好ましい。
【０２１９】
そのために、上記の曝射スイッチ６２のカバーの開動作検知や曝射スイッチ６２の１段目の操作検知をトリガーとして、Ｘ線の照射開始の検出処理等を開始するように構成することが可能である。そして、このように構成すれば、Ｘ線の照射開始の誤検出が生じることを防止する（或いはその可能性を低減する）ことが可能となり、好ましい。
【０２２０】
具体的には、ＦＰＤカセッテ１のポジショニング等を完了して、放射線技師等の操作者が曝射スイッチ６２を操作しようとしてそのカバーを開く動作を行ったことが検知された時点、或いは、曝射スイッチ６２に対して１段目の半押し操作を行ったことが検知された時点で、コンソール６０からＦＰＤカセッテ１に覚醒信号を送信する。
【０２２１】
ＦＰＤカセッテ１は覚醒信号を受信すると、電力供給モードをスリープモードから覚醒モードに遷移させるとともに、各変換素子７のリセット処理を例えば予め決められた回数だけ行う。そして、リークデータｄleakの読み出し処理を開始する等してＸ線の照射開始の検出処理に移行する。ここまでの処理は、通常、１秒もかからずに終了する。
【０２２２】
このように処理を行うことができるため、上記のように構成すれば、衝撃や振動によるＸ線の照射開始の誤検出が的確に防止された状態で、実際に移動型Ｘ線撮影装置５０のＸ線源５７から被写体を介してＦＰＤカセッテ１にＸ線が照射された場合には、ＦＰＤカセッテ１でそれを的確に検出することが可能となる。
【０２２３】
［変形例２−３］
上記の第１の実施形態の［変形例１−９］では、移動型Ｘ線撮影装置５０のカセッテ保持部を、移動型Ｘ線撮影装置５０の最後方の位置ではなく、或いは、その位置にカセッテ保持部６３を設けるとともに、例えば移動型Ｘ線撮影装置５０の本体部５５の側壁と側面カバー５１との間に空間に設けることについて説明した。
【０２２４】
しかし、既存の移動型Ｘ線撮影装置５０＊では、カセッテ保持部６３が移動型Ｘ線撮影装置５０の最後方の位置にしか設けられておらず、その他の位置に設けることが困難な場合も少なくない。そこで、このような場合には、移動型Ｘ線撮影装置５０の最後方の位置に設けられたカセッテ保持部６３にＦＰＤカセッテ１、及び、無線アクセスポイントやカセッテ充電用電源部等の必要な周辺機器を装填することになる。
【０２２５】
そして、ＦＰＤカセッテ１をカセッテ保持部６３から引き出す際、ＦＰＤカセッテ１の表面すなわち放射線入射面Ｒ（図１参照）に傷がつくと画像に現れてしまうため、ＦＰＤカセッテ１の放射線入射面Ｒに傷がつかないように構成することが好ましい。
【０２２６】
図１１に、開放された状態のカセッテ保持部６３にＦＰＤカセッテ１が装填された状態を上側から見た概略図を示す。図１１に示すように、カセッテ保持部６３の内側の、装填されたＦＰＤカセッテ１の前後の位置には、カセッテ保持部６３を閉じた場合にＦＰＤカセッテ１を前後方向から所定の圧力で与圧して保持する緩衝材６３ｂがそれぞれ設けられる。緩衝材６３は、例えばゴムや発泡クッション等で形成される。
【０２２７】
また、各緩衝材６３ｂの内側表面、すなわち装填されたＦＰＤカセッテ１に当接する面には、ＰＥＴ（polyethylene terephthalate）等の低い摩擦係数を有する滑りシート６３ｃが設けられる。また、滑りシート６３ｃの表面は導電性加工されていることが好ましく、例えば移動型Ｘ線撮影装置５０＊のＧＮＤに接続されることが好ましい。このように構成すれば滑りシート６３ｃやＦＰＤカセッテ１の表面等に静電気が蓄積することを防止することが可能となる。
【０２２８】
このように構成すれば、緩衝材６３ｂからの与圧でＦＰＤカセッテ１がカセッテ保持部６３に的確に保持されるようになるとともに、ＦＰＤカセッテ１をカセッテ保持部６３に装填したりカセッテ保持部６３から引き出す際に、ＦＰＤカセッテ１の表面、特に放射線入射面Ｒがカセッテ保持部６３に擦れて傷がつくことを的確に防止することが可能となる。
【０２２９】
なお、緩衝材６３ｂは、装填されるＦＰＤカセッテ１の前または後ろのいずれか一方で、装填されたＦＰＤカセッテ１の放射線入射面Ｒと当接する側にのみ設けるように構成することも可能である。しかし、ＦＰＤカセッテ１は表裏を間違え易く、特にＣＲカセッテと互換サイズを有するＦＰＤカセッテ１は表裏を間違え易く、ＦＰＤカセッテ１の放射線入射面Ｒが必ず前向き或いは後ろ向きに装填されるとは限らない。そのため、いずれの向きで装填されてもよいように、緩衝材６３ｂは、装填されるＦＰＤカセッテ１の前側と後ろ側の両方にそれぞれ設けることが好ましい。
【０２３０】
また、大サイズと小サイズの２個のＦＰＤカセッテをカセッテ保持部に収納保持する場合、各スロットには前述する緩衝材及び滑りシートを備えることが好ましい。また小サイズは、カセッテ保持部を揺動させて開放した際に、技師の取出し操作用の空間が作り易い６３ｃ側とすることが好ましい。この場合、一対の緩衝材及び滑りシートのうち、一方は、回診車本体構造側に残され、他方は揺動移動されるカセッテ保持部側とともに移動せしめる構造とすることで、取出し操作性が改善される。
【０２３１】
また、空間余裕があれば、グリッドや前述したアダプタ用の第３のスロットを設けても良い。
【０２３２】
また、図１１では図示を省略したが、緩衝材６３ｂを、カセッテ保持部６３の底部にも設けるように構成することが好ましい。
【０２３３】
なお、図１１では、カセッテ保持部６３の外側にコンソール６０等を装填することが可能なポケット６３ｄが設けられている場合が示されている。既存の移動型Ｘ線撮影装置５０＊が、例えばノートパソコン型ＰＣであるコンソール６０等をカバー５１の上面等に固定するように構成されていない場合には、移動型Ｘ線撮影装置５０＊が病室等に移動する際などに、搭載されたコンソール６０が移動型Ｘ線撮影装置５０＊から落下する等の問題が生じ得るが、上記のようにカセッテ保持部６３にポケット６３ｄを設ければ、そこにコンソール６０を装填し、コンソール６０が安定した状態で移動型Ｘ線撮影装置５０＊を病室等まで移動させることが可能となり好ましい。
【０２３４】
また、当該ポケット６３ｄにも緩衝材等を設け、回診車本体からの振動、衝撃の伝搬を和らげる構造とすることが望ましい。
【０２３５】
尚、当該ポケットに最小サイズのＦＰＤカセッテを間違えて装填し、移動中に充電されるとの技師の思い込みを防ぐ為、ポケットの深さを、最小サイズのＦＰＤカセッテが沈み込まずに一部がポケットから露呈する深さとし、一方、前記スロットは、最小サイズのＦＰＤカセッテが沈み込む深さとすることが好ましい。
【０２３６】
［変形例２−４］
また、上記の第２の実施形態では、既存の移動型Ｘ線撮影装置５０＊に無線通信機能や有線通信機能をも有するコンソール６０等を搭載するように構成する場合について説明したが、この他にも、既存の移動型Ｘ線撮影装置５０＊に、コンソール６０や中継器６６、制御手段６７、アクセスポイント６４（図６参照）、アクセスポイント６４等に給電する図示しないバッテリー等を搭載するように構成して、既存の移動型Ｘ線撮影装置５０＊を、ＦＰＤカセッテ１を用いたＸ線撮影も行えるように改変することも可能である。
【０２３７】
この場合、アクセスポイント６４やバッテリー等は、他に適切な搭載場所がない場合が多いため、カセッテ保持部６３に搭載されることになることが想定される。
【０２３８】
しかし、バッテリーは、使用に伴って発熱するため、カセッテ保持部６３内に収納されたバッテリーが例えば図１１に示した本体部５５の壁面と接触するように構成し、本体部５５の壁面に熱が伝達して、本体部５５表面からから熱を発散させて冷却するように構成することが好ましい。
【０２３９】
また、カセッテ保持部６３にＦＰＤカセッテ１を装填している間にＦＰＤカセッテ１の充電を行うことも想定される。この場合には、例えば、ＦＰＤカセッテ１のコネクター２７（図１参照）が上向きになるようにＦＰＤカセッテ１をカセッテ保持部６３に装填し、また、バッテリーの充電口も上向きになるようにバッテリーをカセッテ保持部６３内に収納する。
【０２４０】
そして、カセッテ保持部６３内で、ＦＰＤカセッテ１のコネクター２７とバッテリーの充電口とを図示しない充電用ケーブルで接続して、ＦＰＤカセッテ１の充電を行うように構成することが好ましい。その際、このようにＦＰＤカセッテ１のコネクター２７とバッテリーの充電口とが充電用ケーブルで接続された状態とし、カセッテ保持部６３が閉じられた時点で初めて充電が開始されるように構成すれば、充電の際に感電する危険性が低減し、安全性が高まるため好ましい。
【０２４１】
［変形例２−５］
また、撮影中にＦＰＤカセッテ１に内蔵されたバッテリー２４（図２参照）に電力不足が生じた場合には、カセッテ保持部６３に収納されたバッテリーから図示しない延長ケーブル等を介してＦＰＤカセッテ１に有線方式で電力を供給するように構成することが可能である。
【０２４２】
この場合、カセッテ保持部６３を開放し、カセッテ保持部６３に収納されたバッテリーを操作することでＦＰＤカセッテ１に給電するように構成すれば、ＦＰＤカセッテ１を操作することでＦＰＤカセッテ１の位置がずれてしまう等の問題が生じることを防止しつつ、ＦＰＤカセッテ１に的確に電力を供給してＸ線撮影を続行することが可能となり、好ましい。
【０２４３】
なお、カセッテ保持部６３を開放した状態で、カセッテ保持部６３に収納されたバッテリーと病院等の施設の壁面に設けられた商用電源口とを専用ケーブル等を介して接続することで、当該バッテリーを充電することが可能である。
【０２４４】
［変形例２−６］
また、第１の実施形態の場合と同様に、本実施形態においても、カセッテ保持部６３のポケット６３ｄ等に収納されたコンソール６０で、無線方式によるＲＩＳ等からの撮影オーダー情報の追加を常時受け付けている。しかし、移動型Ｘ線撮影装置５０＊の移動中に、カセッテ保持部６３を閉じてしまうと、コンソール６０のＲＩＳ等からの無線方式による撮影オーダー情報の取得が困難になる。
【０２４５】
そこで、このような場合には、放射線技師等の操作者に、図１０に示したような携帯端末７０を携帯させ、ＲＩＳ等からの撮影オーダー情報の追加を当該携帯端末７０で受けるように構成することも可能である。この場合、移動型Ｘ線撮影装置５０＊が病室Ｒ１等の撮影場所に到着して、カセッテ保持部６３が開放された時点で、コンソール６０の無線通信機能を通じ、或いはアクセスポイント６４や接続ポート６５等を介して、携帯端末７０からコンソール６０に無線方式または有線方式で最新の撮影オーダー情報をダウンロードするように構成することも可能である。
【０２４６】
この携帯端末７０では、表示部７１上に撮影オーダー情報のリスト等が表示されていても、不特定多数の人の目に入ることがほとんどないため、個人情報漏えいの観点から、上記のように構成することが好ましい。そして、この場合も、撮影オーダー情報の追加があった場合には、携帯端末７０が、例えば音声や表示等で新たに撮影オーダー情報を追加取得したことを放射線技師等の操作者に告知するように構成することが好ましい。
【０２４７】
また、上記のように、コンソール６０には、ＲＩＳからの撮影オーダー情報の追加取得（受信）が随時行われるが、撮影オーダー情報が追加取得された場合には、コンソール６０は、例えば音声や表示等で新たに撮影オーダー情報を追加取得したことを放射線技師等の操作者に告知する。
【０２４８】
また、Ｘ線撮影に関連しそうな患者個人の情報（例えば感染症疑い等）についても、個人情報が他の人に見られないようにするために、コンソール６０ではなく、携帯端末７０に表示することが好ましい。
【０２４９】
また、病室等でのＸ線撮影中、コンソール６０をオフラインで使用する場合には、携帯端末７０で取得した最新の撮影オーダー情報を有線方式でコンソール６０にダウンロードし、Ｘ線撮影が終了した後、コンソール６０をＬＡＮ等に接続して、撮影オーダー情報とそれに対応する診断提供用医用画像とをアップロードするように処理することも可能である。このように構成すれば、無線方式の通信を使用しないため、患者や周辺機器への電波障害や干渉が生じることを防止することが可能となる。
【０２５０】
なお、本発明が上記の各実施形態や変形例等に限定されず、本発明の趣旨を逸脱しない限り、適宜変更可能であることは言うまでもない。
【符号の説明】
【０２５１】
１  ＦＰＤカセッテ
７  変換素子
５０  移動型Ｘ線撮影装置
５５ｄ  電源部
５７  Ｘ線源
６０  コンソール
６０ａ  表示部
６４  アクセスポイント（無線通信手段）
６５  接続ポート（有線通信手段）
６７  制御手段
Ｄ  画像信号
p_pre  プレビュー画像
【図１】
2014204783.tif 000003
【図２】
2014204783.tif 000004
【図３】
2014204783.tif 000005
【図４】
2014204783.tif 000006
【図５】
2014204783.tif 000007
【図６】
2014204783.tif 000008
【図７】
2014204783.tif 000009
【図８】
2014204783.tif 000010
【図９】
2014204783.tif 000011
【図１０】
2014204783.tif 000012
【図１１】
2014204783.tif 000013